(57)【特許請求の範囲】
【請求項１】
コンテンツサーバが通信ネットワークを介して固定端末にコンテンツを提供する方法であって、
前記のコンテンツサーバが通信ネットワークを介して固定端末にコンテンツを提供する方法は、それぞれがコンテンツサーバによって実行されるところの、
前記固定端末からのコンテンツの要求を、通信ネットワークを介して受信する第１のステップと、
固定端末を識別する端末ＩＤの要求を、通信ネットワークを介して前記固定端末へ送信する第２のステップと、
前記端末ＩＤを、前記固定端末から通信ネットワークを介して受信する第３のステップと、
端末ＩＤと前記固定端末から要求のあったコンテンツを識別する要求番号とを対応付けて登録したＩＤテーブルを参照し、受信した前記端末ＩＤが前記ＩＤテーブルに登録されているか検証する第４のステップと、
前記固定端末のモニタに前記モバイル端末からの電子バリューの提示を要求するメッセージを表示させるために、前記メッセージと前記要求番号を、通信ネットワークを介して前記固定端末へ送信する第５のステップと、
前記モバイル端末が有するメモリに格納された電子バリューと前記モニタの表示に従ってユーザが前記モバイル端末を介して入力した前記要求番号を、前記モバイル端末から通信ネットワークを介して受信する第６のステップと、
受信した前記要求番号が前記コンテンツサーバの保持する要求番号と一致するか否かを検証する第７のステップと、
受信した前記電子バリューの構成要素であって電子バリューの種類ごとに異なるトランザクション端末認証秘密鍵及び電子バリュー認証公開鍵を用いて前記モバイル端末との間で相互認証を行う第８のステップと、
受信した前記電子バリューによる清算処理を実行した後にレシートを発行する第９のステップと、
前記レシートを、通信ネットワークを介して前記モバイル端末へ送信する第１０のステップと、
前記モバイル端末が受信した前記レシートに基づいて生成したダイジェストを前記電子バリューの構成要素であって電子バリューごとに異なる電子バリューの署名秘密鍵により暗号化したアクノーリッジを、前記モバイル端末から通信ネットワークを介して受信する第１１のステップと、
受信した前記アクノーリッジを前記コンテンツサーバが受信した前記電子バリューの構成要素であって電子バリューごとに異なる電子バリュー署名公開鍵で復号化することにより前記ダイジェストを生成する第１２のステップと、
前記第９のステップにおいて生成したレシートに基づいてダイジェストを生成し、第１２のステップで復号化したダイジェストと比較検証する第１３のステップと、
前記ダイジェストが一致した場合に、前記要求番号に対応するコンテンツを、通信ネットワークを介して前記固定端末へ送信する第１４のステップと、
から構成されるコンテンツ提供方法。
【発明の詳細な説明】
【０００１】
【発明の属する技術分野】
本発明は、サーバのコンテンツ提供方法に関する。
【０００２】
【従来の技術】
商品を購入したりサービスを享受するための従来の決済システムには、商品の購入やサービスの享受の前に、例えば、テレホンカードやパチンコカード等のプリペードカードを事前に購入しておき、支払い時にはこのプリペイドカードを用いて決済を行う前払い方式があり、近年では、プリペイドカードが普及したためこの前払い方式が多く用いられるようになった。
【０００３】
以下、図３９を用いて、プリペイドカードを用いた前払い方式の従来の決済システムについて説明する。
同図において、小売販売店２６０６に設置されたプリペイドカード端末２６０１は、プリペイドカードを用いた決済を行なうための端末である。プリペイドカード端末２６０１は、通信回線２６０４を介して、プリペイドカード発行者２６０７のセンターシステム２６０２に接続されている。販売店によっては、プリペイドカード端末２６０１は、販売店のＰＯＳシステム及び通信回線２６０４を介して、プリペイドカード発行者２６０７のセンターシステム２６０２に接続されている。
【０００４】
プリペイドカードを用いて小売販売店２６０６で商品を購入する場合、消費者２６０５は、まずプリペイドカードを販売するプリペイドカード販売店２６０３で現金を支払い（２６０８）、プリペイドカード２６００を購入する（２６０９）。この時のプリペイドカードの売上は、プリペイドカード販売店２６０３からプリペイドカード発行者２６０７に送られる（２６１０）。
【０００５】
次に、消費者２６０５は、小売販売店２６０６で店員にプリペイドカード２６００を渡し（２６１１）、プリペイドカードによる決済を依頼する。店員がプリペイドカード２６００をプリペイドカード端末２６０１のカードリーダに挿入し、プリペイドカード決済の操作を行なうと、プリペイドカード端末２６０１は、プリペイドカード２６００から残高情報を読み出し、この残高情報から商品代金を差し引いた新しい残高情報をプリペイドカード２６００に書き込む。次に、プリペイドカード端末２６０１は、商品代金の明細およびプリペイドカード２６００の新しい残高情報を示す計算書をプリンタから印字する。店員は、購入された商品とプリペイドカード２６００と計算書とを消費者２６０５に引き渡し（２６１３，２６１２）、プリペイドカードによる決済を終了する。
【０００６】
この後、プリペイドカード端末２６０１は、通信回線２６０４を介して、プリペイドカード２６００から差引いた金額をもとにプリペイドカード発行者２６０７のセンターシステム２６０２に支払を請求する（２６１４）。すると、プリペイドカード発行者２６０７から小売販売店２６０６にその請求に対する支払が行われる（２６１５）。
【０００７】
なお、プリペイドカードは、プリペイドカードを販売する自動販売機から購入される場合もある。また、プリペイドカード端末２６０１が、プリペイドカードによる決済機能を有する自動販売機や公衆電話の場合であっても、基本的な仕組みは同じである。また、安全対策の一つとして、特公平６−１０３４２６号公報に開示されているように、プリペイドカードとカードリーダライタとの間で電子署名を用いた相互認証を行なうシステムも提案されている。また、プリペイドカードの代わりに電子プリペイドカードや残高情報などを蓄積可能なＩＣチップを備えたＩＣカードも最近登場した。
【０００８】
次に、各種イベントや公演、映画等のチケットを販売したり、そのチケットを用いて会場に入場するための従来の販売システムについて、図４０を用いて説明する。この従来の販売システムも上記従来の決済システムと同様に前払い方式の決済を行っている。
【０００９】
同図において、チケット発券端末２６１７は、チケット販売店２６２０に設置され、チケットの発券処理を行なうための端末である。チケット発券端末２６１７は、通信回線２６１９を介して、チケット発行者２６２１のセンターシステム２６１８に接続されている。
【００１０】
各種イベントや、公演、映画等のチケットを購入する場合、消費者２６０５は、まずチケット発行者２６２１のセンターシステム２６１８に電話をかけ、希望のチケットを予約する（２６２４）。センターシステム２６１８は、申し込まれたチケットの予約処理を行ない、消費者２６０５に予約番号を発行する（２６２５）。予約番号の発行を受けた消費者２６０５は、チケット販売店２６２０へ行き、店員に予約番号を伝えてチケットの発券を依頼する。
【００１１】
店員は、チケット発券端末２６１７に予約番号を入力してチケットの発券操作を行なう。すると、チケット発券端末２６１７は、通信回線２６１９を介して予約番号をチケット発行者２６２１のセンターシステム２６１８へ送信する（２６２７）。センターシステム２６１８は、これに応答して、予約されていたチケットのチケット情報をチケット発券端末２６１７へ送信する（２６２８）。チケット発券端末２６１７は、受信したチケット情報をチケット発行者２６２１が定める所定の台紙に印字し、チケット２６１６として出力する。店員は、現金と引き換えに（２６２９）発券したチケット２６１６を消費者２６０５に渡し（２６３０）、チケットの販売を終了する。
【００１２】
この時のチケットの売上げは、チケット販売店２６２０の手数料が差し引かれてチケット発行者２６２１へ送られ、さらに、チケット発行者２６２１の手数料が差し引かれてチケットを販売したイベント興行主に支払れる（２６３４）。
【００１３】
また、消費者２６０５は、購入したチケット２６１６のイベント会場２６２３へ行き、係員２６２２にチケット２６１６を渡す（２６３２）。係員２６２２は、チケット２６１６の内容が正しいことを目で確認した後、消費者２６０５に対して入場を許可する（２６３３）。
【００１４】
次に、通信衛星（ＣＳ）等を用いたデジタルテレビ放送を視聴するための放送視聴システムについて説明する。該従来の放送視聴システムでは、ユーザが放送業者と契約を結んだ後、専用の受信端末（セットトップ・ボックス：ＳＴＢ）を用いて放送番組と放送番組をデコードするための鍵情報とを受信する。受信端末は、受信した鍵情報を用いて放送番組のスクランブルをデコードし、このデコードされた放送番組をテレビ画面に表示する。このとき、ユーザが有料番組を視聴した場合には課金処理が行われ、受信端末に挿入されたＩＣカードに課金情報および履歴情報が書き込まれる。課金情報は通信回線を介して定期的に放送業者に送信され、精算処理が行われる。
【００１５】
【発明が解決しようとする課題】
しかしながら、上記従来の決済システムでは、プリペイドカードが普及するにつれて、偽造カードの販売／使用や小売販売店２６０６による不正請求などのトラブルが増加したという問題点があった。小売販売店２６０６による不正請求には、例えば、実際の商品の価格やプリペイドカード端末２６０１の表示より高い金額を消費者２６０５に知られないように請求するものや、プリペイドカード２６００から差し引かれた金額よりも高い金額をセンターシステム２６０２に請求するものがある。決済の際、プリペイドカード２６００は、基本的にはプリペイドカード端末２６０１によって残高情報が書き換えられるのみであるため、上述の不正請求はプリペイドカード端末２６０１を改造することによって容易に実現可能となる。
【００１６】
また、従来の決済システムでは、プリペイドカード端末２６０１にプリペイドカード２６００自体を直接挿入するので、プリペイドカード端末２６０１を改造することによってプリペイドカード２６００に記録されている情報を改ざんしたり、プリペイドカード２６００に記録されている決済時には通常読み出されない個人情報などを不正に読み出す恐れがあった。
【００１７】
したがって、信頼性／安全性の高いプリペイドカード端末２６０１や決済システムが求められていたため、例えば、プリペイドカード端末２６０１の不正改造対策としては、プリペイドカード端末２６０１を分解できないよう筐体を封印するなど物理的な対策が必要であった。しかしながら、この対策はプリペイドカード端末２６０１のコンパクト化やコストダウンに対する障害となっていた。
【００１８】
また、従来の決済システムでは、消費者２６０５はプリペイドカード２６０１から差引かれた金額を直接確認できないため、小売販売店２６０６は、決済時に商品代金の明細およびプリペイドカード２６００の残高が印字された計算書を消費者２６０５に手渡す必要があった。しかしながら、これは販売の効率化および省資源実現に対する障害となっていた。
【００１９】
さらに、プリペイドカード２６０１の記録容量は限られており、比較的小さいために多くの情報量を記憶できないため、様々な種類の異なる情報を一枚のカードに収めることができないという問題点があった。
【００２０】
また、上記従来の販売システムでは、オンラインによってチケットの予約を行っているが、チケットの発券／購入のためにはチケット販売店２６２０に行く必要があり、結局はチケット販売店２６２０に足を運ばなければならないため不便であるという問題点があった。また、従来の販売システムでは、イベント会場２６２３への入場に際して行われるチケット２６１６の改札を係員２６２２による目視で行われているため、効率が良くなく、またチェックミスが生じる恐れがあるという問題点があった。また、偽造チケット等による不正が行なわれる恐れもあった。
【００２１】
また、上記従来の放送視聴システムでは、有料放送番組などの有料サービスに関する精算処理が、放送事業者との契約に基づいて、銀行口座引き落としやクレジットカードによる決済に限定されていた。また、従来の放送システムでは、課金情報や履歴情報が受信端末に蓄積され、これらの情報を定期的に収集するためには、放送業者が有するサーバと通信を行うための通信回線を保持しておく必要があった。
【００２２】
本発明が解決しようとする課題としては、上記した問題が一例として挙げられる。
【００２３】
【課題を解決するための手段】
上記課題を解決するために、本発明の電子バリュー活用システムは、各々が通信ネットワークに接続された、無線による前記通信ネットワークへの接続を可能とする第１の無線通信手段を有した、持ち運び可能な第１のモバイル端末と、前記第１のモバイル端末に所望の電子バリューを供給するよう指示するための信号を出力する、固定設置された第１の固定端末と、前記第１の固定端末から出力された信号に応じて、前記所望の電子バリューを前記第１のモバイル端末に供給するサーバとを備えたものである。
【００２４】
また、本発明の電子バリュー活用システムは、各々が通信ネットワークに接続された、無線による前記通信ネットワークへの接続を可能とする第１の無線通信手段を有した、持ち運び可能な第１のモバイル端末と、無線による前記通信ネットワークへの接続を可能とする第２の無線通信手段を有し、前記第１のモバイル端末に所望の電子バリューを供給するよう指示するための信号を出力する、持ち運び可能な第２のモバイル端末と、前記第２のモバイル端末から出力された信号に応じて、前記所望の電子バリューを前記第１のモバイル端末に供給するサーバとを備えたものである。
【００２５】
また、本発明の電子バリュー活用システムは、各々が通信ネットワークに接続された、無線による前記通信ネットワークへの接続を可能とする第１の無線通信手段を有した、持ち運び可能な第１のモバイル端末と、所望の電子バリューを供給するよう指示するための信号を出力する、固定設置された第１の固定端末と、前記第１の固定端末から出力された信号に応じて、前記第１の固定端末に、または前記第１の固定端末を介して前記第１のモバイル端末に前記所望の電子バリューを供給するサーバとを備えたものである。
【００２６】
また、本発明の電子バリュー活用システムは、本発明の電子バリュー活用システムにおいて、前記第１のモバイル端末は、該第１のモバイル端末に供給された電子バリューを、固定設置された固定端末に転送可能な転送手段を有するものである。
【００２７】
また、本発明の電子バリュー活用システムは、本発明の電子バリュー活用システムにおいて、前記転送手段は、前記固定端末と通信可能な通信手段である。
【００２８】
また、本発明の電子バリュー活用システムは、本発明の電子バリュー活用システムにおいて、前記転送手段は、可搬型の記録手段である。
【００２９】
また、本発明の電子バリュー活用システムは、本発明の電子バリュー活用システムにおいて、前記第１の固定端末または前記第２のモバイル端末の所有者または利用者は、前記第１のモバイル端末の所有者または利用者と異なる。
【００３０】
また、本発明の電子バリュー活用システムは、本発明の電子バリュー活用システムにおいて、前記第１のモバイル端末と前記第２のモバイル端末とが同一物である。
【００３１】
また、本発明の電子バリュー活用システムは、本発明の電子バリュー活用システムにおいて、前記サーバは、前記第１の固定端末または前記第２のモバイル端末から電子バリューの供給が指示されると、前記第１の固定端末または前記第２のモバイル端末に支払いを請求するものである。
【００３２】
また、本発明の電子バリュー活用システムは、本発明の電子バリュー活用システムにおいて、前記サーバは、前記第１の固定端末から電子バリューの供給が指示されると、前記第１のモバイル端末に支払いを請求するものである。
【００３３】
また、本発明の電子バリュー活用システムは、本発明の電子バリュー活用システムにおいて、前記第１の固定端末または前記第２のモバイル端末によって供給が指示された電子バリューの対価の支払いとして、前記第１の固定端末、前記第１のモバイル端末または前記第２のモバイル端末は、貨幣価値を有する電子バリューを前記サーバに送信する。
【００３４】
また、本発明の電子バリュー活用システムは、本発明の電子バリュー活用システムにおいて、前記第１の固定端末または前記サーバは、供給指示された電子バリューの履歴／課金情報を蓄積する履歴／課金情報蓄積手段を有し、前記第１のモバイル端末は、前記履歴／課金情報蓄積手段に蓄積された履歴／課金情報に基づいて、支払いとして貨幣価値を有する電子バリューを前記サーバに送信する。
【００３５】
また、本発明の電子バリュー活用システムは、本発明の電子バリュー活用システムにおいて、前記第１のモバイル端末は、前記履歴／課金情報を前記サーバに送信するものである。
【００３６】
また、本発明の電子バリュー活用システムは、本発明の電子バリュー活用システムにおいて、前記サーバは前記貨幣価値を有する電子バリューによる清算処理を行い、清算処理結果を前記第１の固定端末または前記第２のモバイル端末に送信するものである。
【００３７】
また、本発明の電子バリュー活用システムは、本発明の電子バリュー活用システムにおいて、前記第１の固定端末は、前記第１の固定端末に送信された前記清算処理結果を用いて、前記履歴／課金情報蓄積手段に蓄積されている履歴／課金情報を更新する。
【００３８】
また、本発明の電子バリュー活用システムは、本発明の電子バリュー活用システムにおいて、前記第１の固定端末または前記第２のモバイル端末は、前記電子バリューを供給するよう指示した者の個人識別情報を前記サーバに送信する。
【００３９】
また、本発明の電子バリュー活用システムは、本発明の電子バリュー活用システムにおいて、前記個人識別情報は、第１のモバイル端末から供給される。
【００４０】
また、本発明の電子バリュー活用システムは、本発明の電子バリュー活用システムにおいて、前記個人認識情報は前記サーバが復号化できるよう暗号化される。
【００４１】
また、本発明の電子バリュー活用システムは、各々が通信ネットワークに接続された、固定設置された第３の固定端末と、無線による前記通信ネットワークへの接続を可能とする第３の無線通信手段を有し、前記第３の固定端末に所望の電子バリューを供給するよう指示するための信号を出力する、持ち運び可能な第３のモバイル端末と、前記第３のモバイル端末から出力された信号に応じて、前記所望の電子バリューを前記第３の固定端末に供給するサーバとを備えたものである。
【００４２】
また、本発明の電子バリュー活用システムは、各々が通信ネットワークに接続された、固定設置された第３の固定端末と、前記第３の固定端末に所望の電子バリューを供給するよう指示するための信号を出力する、固定設置された第４の固定端末と、前記第４の固定端末からの出力された信号に応じて、前記所望の電子バリューを前記第３の固定端末に供給するサーバとを備えたものである。
【００４３】
また、本発明の電子バリュー活用システムは、本発明の電子バリュー活用システムにおいて、前記第３の固定端末は、該第３の固定端末に供給された電子バリューを、持ち運び可能なモバイル端末に転送可能な転送手段を有するものである。
【００４４】
また、本発明の電子バリュー活用システムは、本発明の電子バリュー活用システムにおいて、前記転送手段は、前記固定端末と通信可能な通信手段である。
【００４５】
また、本発明の電子バリュー活用システムは、本発明の電子バリュー活用システムにおいて、前記転送手段は、可搬型の記録手段である。
【００４６】
また、本発明の電子バリュー活用システムは、本発明の電子バリュー活用システムにおいて、前記第３のモバイル端末または前記第４の固定端末の所有者または利用者は、前記第３の固定端末の所有者または利用者と異なる。
【００４７】
また、本発明の電子バリュー活用システムは、本発明の電子バリュー活用システムにおいて、前記第３の固定端末と前記第４の固定端末とが同一物である。
【００４８】
また、本発明の電子バリュー活用システムは、本発明の電子バリュー活用システムにおいて、前記サーバは、前記第３のモバイル端末または前記第４の固定端末から電子バリューの供給が指示されると、前記第３のモバイル端末または前記第４の固定端末に支払いを請求するものである。
【００４９】
また、本発明の電子バリュー活用システムは、本発明の電子バリュー活用システムにおいて、前記サーバは、前記第３のモバイル端末から電子バリューの供給が指示されると、前記第３の固定端末に支払いを請求するものである。
【００５０】
また、本発明の電子バリュー活用システムは、本発明の電子バリュー活用システムにおいて、前記第３のモバイル端末または前記第４の固定端末によって供給が指示された電子バリューの対価の支払いとして、前記第３のモバイル端末または前記第４の固定端末は、貨幣価値を有する電子バリューを前記サーバに送信する。
【００５１】
また、本発明の電子バリュー活用システムは、本発明の電子バリュー活用システムにおいて、前記第４の固定端末または前記サーバは、供給指示された電子バリューの履歴／課金情報を蓄積する履歴／課金情報蓄積手段を有し、前記第４の固定端末は、前記履歴／課金情報蓄積手段に蓄積された履歴／課金情報に基づいて、支払いとして貨幣価値を有する電子バリューを前記サーバに送信する。
【００５２】
また、本発明の電子バリュー活用システムは、本発明の電子バリュー活用システムにおいて、前記第４の固定端末が、前記履歴／課金情報を前記サーバに送信する。
【００５３】
また、本発明の電子バリュー活用システムは、本発明の電子バリュー活用システムにおいて、前記サーバは前記貨幣価値を有する電子バリューによる清算処理を行い、清算処理結果を前記第３のモバイル端末または前記第４の固定端末に送信する。
【００５４】
また、本発明の電子バリュー活用システムは、本発明の電子バリュー活用システムにおいて、前記第４の固定端末は、前記第４の固定端末に送信された前記精算処理結果を用いて、前記履歴／課金情報蓄積手段に蓄積されている履歴／課金情報を更新する。
【００５５】
また、本発明の電子バリュー活用システムは、本発明の電子バリュー活用システムにおいて、前記第３のモバイル端末または前記第４の固定端末は、前記電子バリューを供給するよう指示した者の個人識別情報を前記サーバに送信するものである。
【００５６】
また、本発明の電子バリュー活用システムは、本発明の電子バリュー活用システムにおいて、前記電子バリューは、設定された日時に供給される。
【００５７】
また、本発明の電子バリュー活用システムは、本発明の電子バリュー活用システムにおいて、前記電子バリューは、貨幣価値を有する電子プリペイドカード、電子チケット、または有料放送番組を視聴するための有料放送視聴チケットである。
【００５８】
また、本発明の電子バリュー活用システムは、本発明の電子バリュー活用システムにおいて、前記有料放送視聴チケットには、放送番組を視聴可能とする処理を行うための鍵情報が含まれている。
【００５９】
また、本発明の電子バリュー活用システムは、無線によって通信ネットワークに接続される持ち運び可能なモバイル端末、情報を蓄積する情報蓄積手段を有する固定設置された固定端末、および前記通信ネットワークに接続されたサーバを備え、前記固定端末から前記モバイル端末に転送された前記情報が、前記通信ネットワークを介して前記サーバに送られるものである。
【００６０】
また、本発明の電子バリュー活用システムは、本発明の電子バリュー活用システムにおいて、前記モバイル端末に転送された情報は、固定設置された他の固定端末および前記通信ネットワークを介して前記サーバに送信される。
【００６１】
また、本発明の電子バリュー活用方法は、無線によって通信ネットワークに接続される持ち運び可能な第１のモバイル端末、固定設置された第１の固定端末、および前記通信ネットワークを介して前記第１のモバイル端末および第１の固定端末に接続されたサーバを有する電子バリュー活用システムを用いた電子バリュー活用方法であって、前記第１のモバイル端末に所望の電子バリューを供給するよう、前記第１の固定端末から前記サーバに指示する指示ステップと、前記第１の固定端末からの指示に応じて、前記サーバが前記所望の電子バリューを前記第１のモバイル端末に供給する供給ステップとを有するものである。
【００６２】
また、本発明の電子バリュー活用方法は、無線によって通信ネットワークに接続される持ち運び可能な第１のモバイル端末および第２のモバイル端末と、前記通信ネットワークを介して前記第１のモバイル端末および前記第２のモバイル端末に接続されたサーバとを有する電子バリュー活用システムを用いた電子バリュー活用方法であって、前記第１のモバイル端末に所望の電子バリューを供給するよう、前記第２のモバイル端末から前記サーバに指示する指示ステップと、前記第２のモバイル端末からの指示に応じて、前記サーバが前記所望の電子バリューを前記第１のモバイル端末に供給する供給ステップとを有するものである。
【００６３】
また、本発明の電子バリュー活用方法は、無線によって通信ネットワークに接続される持ち運び可能な第１のモバイル端末、固定設置された第１の固定端末、および前記通信ネットワークを介して前記第１のモバイル端末および第１の固定端末に接続されたサーバを有する電子バリュー活用システムを用いた電子バリュー活用方法であって、所望の電子バリューを供給するよう、前記第１の固定端末から前記サーバに指示する指示ステップと、前記第１の固定端末からの指示に応じて、前記サーバが前記第１の固定端末に、または前記第１の固定端末を介して前記モバイル端末に前記所望の電子バリューを供給する供給ステップとを有するものである。
【００６４】
また、本発明の電子バリュー活用方法は、本発明の電子バリュー活用方法において、前記電子バリュー活用システムは固定設置された固定端末を有し、前記第１のモバイル端末に供給された電子バリューを前記固定端末に転送するステップを有するものである。
【００６５】
また、本発明の電子バリュー活用方法は、本発明の電子バリュー活用方法において、前記電子バリューは、前記第１の固定端末または前記第２のモバイル端末の所有者または利用者と異なる者が所有または利用する前記第１のモバイル端末に供給される。
【００６６】
また、本発明の電子バリュー活用方法は、本発明の電子バリュー活用方法において、前記第１のモバイル端末と前記第２のモバイル端末とが同一物である。
【００６７】
また、本発明の電子バリュー活用方法は、本発明の電子バリュー活用方法において、前記第１の固定端末または前記第２のモバイル端末から電子バリューの供給が指示されると、前記第１の固定端末または前記第２のモバイル端末に支払いを請求する請求ステップを有するものである。
【００６８】
また、本発明の電子バリュー活用方法は、本発明の電子バリュー活用方法において、前記第１の固定端末から電子バリューの供給が指示されると、前記第１のモバイル端末に支払いを請求する請求ステップを有するものである。
【００６９】
また、本発明の電子バリュー活用方法は、本発明の電子バリュー活用方法において、前記指示ステップによって供給が指示された電子バリューの対価の支払いとして、前記第１の固定端末または前記第２のモバイル端末が貨幣価値を有する電子バリューを前記サーバに送信する、支払いステップを有するものである。
【００７０】
また、本発明の電子バリュー活用方法は、本発明の電子バリュー活用方法において、前記第１の固定端末または前記サーバに蓄積された、前記指示ステップによって供給が指示された電子バリューの履歴／課金情報に基づいて、前記第１のモバイル端末が、支払いとして貨幣価値を有する電子バリューを前記サーバに送信する、支払いステップを有するものである。
【００７１】
また、本発明の電子バリュー活用方法は、本発明の電子バリュー活用方法において、前記第１のモバイル端末が前記サーバに前記履歴／課金情報を送信する、履歴／課金情報送信ステップを有するものである。
【００７２】
また、本発明の電子バリュー活用方法は、本発明の電子バリュー活用方法において、前記貨幣価値を有する電子バリューによって清算処理を行う清算処理ステップと、前記清算処理ステップによる処理結果を前記第１の固定端末または前記第２のモバイル端末に送信する処理結果送信ステップとを有するものである。
【００７３】
また、本発明の電子バリュー活用方法は、本発明の電子バリュー活用方法において、前記第１の固定端末に送信された前記清算処理結果を用いて、前記履歴／課金情報を更新する。
【００７４】
また、本発明の電子バリュー活用方法は、本発明の電子バリュー活用方法において、前記電子バリューを供給するよう指示した者の個人識別情報を、前記第１の固定端末または前記第２のモバイル端末から前記サーバに送信する個人識別情報送信ステップを有するものである。
【００７５】
また、本発明の電子バリュー活用方法は、本発明の電子バリュー活用方法において、前記個人識別情報は、第１のモバイル端末から供給される。
【００７６】
また、本発明の電子バリュー活用方法は、本発明の電子バリュー活用方法において、前記個人認識情報を前記サーバが復号化できるよう暗号化する。
【００７７】
また、本発明の電子バリュー活用方法は、本発明の電子バリュー活用方法において、前記指示ステップ、前記支払いステップ、前記供給ステップの順に処理が行われる。
【００７８】
また、本発明の電子バリュー活用方法は、固定設置された第３の固定端末、無線によって通信ネットワークに接続される持ち運び可能な第３のモバイル端末、および前記通信ネットワークを介して前記第３の固定端末および前記第３のモバイル端末に接続されたサーバを有する電子バリュー活用システムを用いた電子バリュー活用方法であって、前記第３の固定端末に所望の電子バリューを供給するよう、前記第３のモバイル端末から前記サーバに指示する指示ステップと、前記第３のモバイル端末からの指示に応じて、前記サーバが前記所望の電子バリューを前記第３の固定端末に供給する供給ステップとを有するものである。
【００７９】
また、本発明の電子バリュー活用方法は、固定設置された第３の固定端末および第４の固定端末と、通信ネットワークを介して前記第３の固定端末および前記第４の固定端末に接続されたサーバとを有する電子バリュー活用システムを用いた電子バリュー活用方法であって、前記第３の固定端末に所望の電子バリューを供給するよう、前記第４の固定端末から前記サーバに指示する指示ステップと、前記第４の固定端末からの指示に応じて、前記サーバが前記所望の電子バリューを前記第３の固定端末に供給する供給ステップとを有するものである。
【００８０】
また、本発明の電子バリュー活用方法は、本発明の電子バリュー活用方法において、前記電子バリュー活用システムは持ち運び可能なモバイル端末を有し、前記第３の固定端末に供給された電子バリューを前記モバイル端末に転送するステップを有するものである。
【００８１】
また、本発明の電子バリュー活用方法は、本発明の電子バリュー活用方法において、前記電子バリューは、前記第３のモバイル端末または前記第４の固定端末の所有者または利用者と異なる者が所有または利用する前記第３の固定端末に供給される。
【００８２】
また、本発明の電子バリュー活用方法は、本発明の電子バリュー活用方法において、前記第３の固定端末と前記第４の固定端末とが同一物である。
【００８３】
また、本発明の電子バリュー活用方法は、本発明の電子バリュー活用方法において、前記第３のモバイル端末または前記第４の固定端末から電子バリューの供給が指示されると、前記第３のモバイル端末または前記第４の固定端末に支払いを請求する。
【００８４】
また、本発明の電子バリュー活用方法は、本発明の電子バリュー活用方法において、前記第３のモバイル端末から電子バリューの供給が指示されると、前記第３の固定端末に支払いを請求する請求ステップを有するものである。
【００８５】
また、本発明の電子バリュー活用方法は、本発明の電子バリュー活用方法において、前記指示ステップによって供給が指示された電子バリューの対価の支払いとして、前記第３のモバイル端末または前記第４の固定端末が貨幣価値を有する電子バリューを前記サーバに転送する、支払いステップを有するものである。
【００８６】
また、本発明の電子バリュー活用方法は、本発明の電子バリュー活用方法において、前記第４の固定端末または前記サーバに蓄積された、前記指示ステップによって供給が指示された電子バリューの履歴／課金情報に基づいて、前記第４の固定端末が、支払いとして貨幣価値を有する電子バリューを前記サーバに送信する、支払いステップを有するものである。
【００８７】
また、本発明の電子バリュー活用方法は、本発明の電子バリュー活用方法において、前記第４の固定端末が前記履歴／課金情報を前記サーバに送信する、履歴／課金情報送信ステップを有するものである。
【００８８】
また、本発明の電子バリュー活用方法は、本発明の電子バリュー活用方法において、前記貨幣価値を有する電子バリューによる清算処理を行う清算処理ステップと、前記清算処理ステップによる処理結果を前記第３のモバイル端末または前記第４の固定端末に送信する処理結果送信ステップとを有するものである。
【００８９】
また、本発明の電子バリュー活用方法は、本発明の電子バリュー活用方法において、前記第４の固定端末に送信された精算処理結果を用いて、前記履歴／課金情報を更新する。
【００９０】
また、本発明の電子バリュー活用方法は、本発明の電子バリュー活用方法において、前記電子バリューを供給するよう指示した者の個人識別情報を、前記第３のモバイル端末または前記第４の固定端末から前記サーバに送信する個人識別情報送信ステップを有するものである。
【００９１】
また、本発明の電子バリュー活用方法は、本発明の電子バリュー活用方法において、前記指示ステップ、前記支払いステップ、前記供給ステップの順に処理が行われる。
【００９２】
また、本発明の電子バリュー活用方法は、本発明の電子バリュー活用方法において、前記電子バリューは、設定された日時に供給される。
【００９３】
また、本発明の電子バリュー活用方法は、本発明の電子バリュー活用方法において、前記電子バリューは、貨幣価値を有する電子プリペイドカード、電子チケット、または有料放送番組を視聴するための有料放送視聴チケットである。
【００９４】
また、本発明の電子バリュー活用方法は、本発明の電子バリュー活用方法において、前記有料放送視聴チケットには、放送番組を視聴可能とする処理を行うための鍵情報が含まれている
【００９５】
また、本発明の電子バリュー活用方法は、無線によって通信ネットワークに接続される持ち運び可能なモバイル端末、情報を蓄積する情報蓄積手段を有する固定設置された固定端末、および前記通信ネットワークに接続されたサーバを有する電子バリュー活用システムを用いた電子バリュー活用方法であって、前記情報蓄積手段に蓄積されている情報を前記固定端末から前記モバイル端末に転送する転送ステップと、前記モバイル端末に転送された情報を前記通信ネットワークを介して前記サーバに送る送信ステップとを有するものである。
【００９６】
また、本発明の電子バリュー活用方法は、本発明の電子バリュー活用方法において、前記モバイル端末に転送された情報は、固定設置された他の固定端末および前記通信ネットワークを介して前記サーバに送信される。
【００９７】
また、本発明のサーバ装置は、通信ネットワークを介して、持ち運び可能な第１のモバイル端末および固定設置された第１の固定端末に接続され、前記第１のモバイル端末に所望の電子バリューを供給するよう指示する前記第１の固定端末からの信号に応じて、前記第１のモバイル端末に前記所望の電子バリューを供給するものである。
【００９８】
また、本発明のサーバ装置は、通信ネットワークを介して、持ち運び可能な第１のモバイル端末および第２のモバイル端末に接続され、前記第１のモバイル端末に所望の電子バリューを供給するよう指示する前記第２のモバイル端末からの信号に応じて、前記第１のモバイル端末に前記所望の電子バリューを供給するものである。
【００９９】
また、本発明のサーバ装置は、通信ネットワークを介して、固定設置された第１の固定端末に接続され、所望の電子バリューを供給するよう指示する前記第１の固定端末からの信号に応じて、前記第１の固定端末に、または前記第１の固定端末を介して該第１の固定端末に接続可能な持ち運び可能な第１のモバイル端末に前記所望の電子バリューを供給するものである。
【０１００】
また、本発明のサーバ装置は、通信ネットワークを介して、固定設置された第３の固定端末および持ち運び可能な第３のモバイル端末に接続され、前記第３の固定端末に所望の電子バリューを供給するよう指示する前記第３のモバイル端末からの信号に応じて、前記第３の固定端末に前記所望の電子バリューを供給するものである。
【０１０１】
また、本発明のサーバ装置は、通信ネットワークを介して、固定設置された第３の固定端末および第４の固定端末に接続され、前記第３の固定端末に所望の電子バリューを供給するよう指示する前記第４の固定端末からの信号に応じて、前記第３の固定端末に前記所望の電子バリューを供給するものである。
【０１０２】
また、本発明のサーバ装置は、本発明のサーバ装置において、前記第１の固定端末、前記第１のモバイル端末、前記第２のモバイル端末、前記第３のモバイル端末または前記第３の固定端末から電子バリューの供給が指示されると、支払いを請求するものである。
【０１０３】
また、本発明のサーバ装置は、本発明のサーバ装置において、前記請求に対する送信された貨幣価値を有する電子バリューによる清算処理を行い、清算処理結果を前記第１の固定端末、前記第１のモバイル端末、前記第２のモバイル端末、前記第３のモバイル端末または前記第３の固定端末に送信する。
【０１０４】
また、本発明のサーバ装置は、本発明のサーバ装置において、前記電子バリューを設定された日時に供給する。
【０１０５】
また、本発明のサーバ装置は、各々が通信ネットワークに接続された、無線による前記通信ネットワークへの接続を可能とする第１の無線通信手段を有した、持ち運び可能な第１のモバイル端末と、前記第１のモバイル端末に所望の電子バリューを供給するよう指示するための信号を出力する、固定設置された第１の固定端末と、前記第１の固定端末から出力された信号に応じて、前記所望の電子バリューを前記第１のモバイル端末に供給するサーバとを備えて構成される電子バリュー活用システムで用いられるものである。
【０１０６】
また、本発明のサーバ装置は、各々が通信ネットワークに接続された、無線による前記通信ネットワークへの接続を可能とする第１の無線通信手段を有した、持ち運び可能な第１のモバイル端末と、無線による前記通信ネットワークへの接続を可能とする第２の無線通信手段を有し、前記第１のモバイル端末に所望の電子バリューを供給するよう指示するための信号を出力する、持ち運び可能な第２のモバイル端末と、前記第２のモバイル端末から出力された信号に応じて、前記所望の電子バリューを前記第１のモバイル端末に供給するサーバとを備えて構成される電子バリュー活用システムで用いられるものである。
【０１０７】
また、本発明のサーバ装置は、各々が通信ネットワークに接続された、無線による前記通信ネットワークへの接続を可能とする第１の無線通信手段を有した、持ち運び可能な第１のモバイル端末と、所望の電子バリューを供給するよう指示するための信号を出力する、固定設置された第１の固定端末と、前記第１の固定端末から出力された信号に応じて、前記第１の固定端末に、または前記第１の固定端末を介して前記第１のモバイル端末に前記所望の電子バリューを供給するサーバとを備えて構成される電子バリュー活用システムで用いられるものである。
【０１０８】
また、本発明のサーバ装置は、各々が通信ネットワークに接続された、固定設置された第３の固定端末と、無線による前記通信ネットワークへの接続を可能とする第３の無線通信手段を有し、前記第３の固定端末に所望の電子バリューを供給するよう指示するための信号を出力する、持ち運び可能な第３のモバイル端末と、前記第３のモバイル端末から出力された信号に応じて、前記所望の電子バリューを前記第３の固定端末に供給するサーバとを備えて構成される電子バリュー活用システムで用いられるものである。
【０１０９】
また、本発明のサーバ装置は、各々が通信ネットワークに接続された、固定設置された第３の固定端末と、前記第３の固定端末に所望の電子バリューを供給するよう指示するための信号を出力する、固定設置された第４の固定端末と、前記第４の固定端末からの出力された信号に応じて、前記所望の電子バリューを前記第３の固定端末に供給するサーバとを備えて構成される電子バリュー活用システムで用いられるものである。
【０１１０】
また、本発明のサーバ装置は、本発明のサーバ装置において、前記第１の固定端末、前記第１のモバイル端末、前記第２のモバイル端末、前記第３のモバイル端末または前記第３の固定端末から電子バリューの供給が指示されると、支払いを請求するものである。
【０１１１】
また、本発明のサーバ装置は、本発明のサーバ装置において、前記請求に対する送信された貨幣価値を有する電子バリューによる清算処理を行い、清算処理結果を前記第１の固定端末、前記第１のモバイル端末、前記第２のモバイル端末、前記第３のモバイル端末または前記第３の固定端末に送信するものである。
【０１１２】
また、本発明のサーバ装置は、本発明のサーバ装置において、前記電子バリューを設定された日時に供給する。
【０１１３】
さらに、本発明のコンピュータにより読み取り可能な記録媒体は、本発明の電子バリュー活用方法をコンピュータに実行させるためのプログラムとして記録したものである。
【０１１４】
本発明の本発明の電子バリュー活用システム、本発明の電子バリュー活用方法、本発明のサーバ装置および本発明のサーバ装置並びに本発明の記録媒体では、第１の固定端末（指示ステップ）において、通信ネットワークを介して第１のモバイル端末に所望の電子バリューを供給するようサーバに指示し、サーバ（供給ステップ）において、第１の固定端末からの指示に応じて所望された電子バリューを通信ネットワークを介して第１のモバイル端末に供給している。
【０１１５】
また、本発明の電子バリュー活用システム、本発明の電子バリュー活用方法、本発明のサーバ装置および本発明のサーバ装置並びに本発明の記録媒体では、第２のモバイル端末（指示ステップ）において、通信ネットワークを介して第１のモバイル端末に所望の電子バリューを供給するようサーバに指示し、サーバ（供給ステップ）において、第２のモバイル端末からの指示に応じて所望された電子バリューを通信ネットワークを介して第１のモバイル端末に供給している。
【０１１６】
また、本発明の電子バリュー活用システム、本発明の電子バリュー活用方法、本発明のサーバ装置および本発明のサーバ装置並びに本発明の記録媒体では、第１の固定端末（指示ステップ）において、通信ネットワークを介して所望の電子バリューを供給するようサーバに指示し、サーバ（供給ステップ）において、第１の固定端末からの指示に応じて所望された電子バリューを第１の固定端末に、または第１の固定端末を介して第１のモバイル端末に供給している。
【０１１７】
また、本発明の電子バリュー活用システム、本発明の電子バリュー活用方法、本発明のサーバ装置および本発明のサーバ装置並びに本発明の記録媒体では、第３のモバイル端末（指示ステップ）において、通信ネットワークを介して第３の固定端末に所望の電子バリューを供給するようサーバに指示し、サーバ（供給ステップ）において、第３のモバイル端末からの指示に応じて所望された電子バリューを通信ネットワークを介して第３の固定端末に供給している。
【０１１８】
また、本発明の電子バリュー活用システム、本発明の電子バリュー活用方法、本発明のサーバ装置および本発明のサーバ装置並びに本発明の記録媒体では、第４の固定端末（指示ステップ）において、通信ネットワークを介して第３のモバイル端末に所望の電子バリューを供給するようサーバに指示し、サーバ（供給ステップ）において、第４の固定端末からの指示に応じて所望された電子バリューを通信ネットワークを介して第３の固定端末に供給している。
【０１１９】
したがって、ユーザが例えば電子プリペイドカードや電子チケット等の電子バリューの購入を要求する場合、ユーザが通信ネットワークを介してサーバに所望の電子バリューを注文すると、サーバは該注文に応じた処理を行って、再び通信ネットワークを介して所望された（電子プリペイドカードや電子チケットなどの）電子バリューを設定された端末に送信することができる。
【０１２０】
また、ユーザが電子マネーや電子チケット、有料放送視聴チケット等の電子バリューを使用して精算処理やサービスの提供などを要求する場合、ユーザが通信ネットワークを介してサーバに所望の要求を行うと、サーバは該要求に応じた処理を行って、通信ネットワークを介して（精算処理結果や所望のサービスなどの）電子バリューを端末に送信することができる。
【０１２１】
このように、ユーザは必要なときに必要な電子バリューを、通信ネットワークを介して得ることができる。したがって、電子バリューの購入または使用のためにわざわざ外出する必要がないため、利便性の高い電子バリュー活用システム、電子バリュー活用方法およびサーバ装置並びに記録媒体を提供することができる。
【０１２２】
また、本発明の電子バリュー活用システム、本発明の電子バリュー活用方法および本発明の記録媒体では、第１のモバイル端末は、該第１のモバイル端末に供給された電子バリューを固定設置された固定端末に転送可能な転送手段を有し、特に、本発明の電子バリュー活用システムでは、転送手段が固定端末と通信可能な通信手段であり、本発明の電子バリュー活用システムでは、転送手段が可搬型の記録手段である。
【０１２３】
また、本発明の電子バリュー活用システム、本発明の電子バリュー活用方法および本発明の記録媒体では、第３の固定端末は、該第３の固定端末に供給された電子バリューを持ち運び可能なモバイル端末に転送可能な転送手段を有し、特に、本発明の電子バリュー活用システムでは、転送手段が固定端末と通信可能な通信手段であり、本発明の電子バリュー活用システムでは、転送手段が可搬型の記録手段である。
【０１２４】
このように、電子バリューを格納可能な端末は、該電子バリューが供給された端末に限定されることなく、転送手段を用いることによって他の端末にも格納しておくことができる。したがって、第１のモバイル端末が有する電子バリュー等を格納しておくためのメモリ記憶容量が小さいような場合、転送手段を用いて第１のモバイル端末に供給された電子バリューを固定端末に転送し格納しておくことによって、第１のモバイル端末が有するメモリを節約することができる。また、ユーザが第１のモバイル端末を持ち出して紛失したとしても、電子バリューを固定端末に格納しておけば、電子バリューもろとも紛失してしまう危険性を小さくすることができる。さらに、固定端末が有する表示画面は、モバイル端末が有する表示画面と比較して一般に大きいため、操作性の面においても、固定端末を用いた方がユーザにとって利便性が高いものとなる。
【０１２５】
また、第３の固定端末に提供された電子バリューをそのまま該端末に格納しておき、ユーザが電子バリューをモバイル端末から利用しようとするときに、電子バリューを第３の固定端末からモバイル端末に転送するような場合においても、モバイル端末が有するメモリを節約でき、また紛失の危険性を小さくすることができる。
【０１２６】
また、本発明の電子バリュー活用システム、本発明の電子バリュー活用方法および本発明の記録媒体では、電子バリューは、第１の固定端末または第２のモバイル端末の所有者または利用者と異なる者が所有または利用する第１のモバイル端末に供給されている。
【０１２７】
また、本発明の電子バリュー活用システム、本発明の電子バリュー活用方法および本発明の記録媒体では、電子バリューは、第３のモバイル端末または第４の固定端末の所有者または利用者と異なる者が所有または利用する第３の固定端末に供給されている。
【０１２８】
このように、電子バリューを注文したユーザまたはサービス提供を要求したユーザ以外の者に、ユーザが所望した電子バリューまたはサービスを提供することができる。したがって、電子バリューまたはサービスを友人や恋人等のユーザ以外の者へのプレゼントなどに活用できる。また、通信ネットワークを介しているために、遠方の者にも電子バリューまたはサービスを提供可能な利便性の高い電子バリュー活用システム、電子バリュー活用方法および記録媒体を提供することができる。
【０１２９】
また、本発明の電子バリュー活用システム、本発明の電子バリュー活用方法、本発明のサーバ装置および本発明のサーバ装置並びに本発明の記録媒体では、サーバは、第１の固定端末または第２のモバイル端末から電子バリューの供給が指示されると、第１の固定端末または第２のモバイル端末に支払いを請求するのが望ましい。
【０１３０】
また、本発明の電子バリュー活用システム、本発明の電子バリュー活用方法、本発明のサーバ装置および本発明のサーバ装置並びに本発明の記録媒体では、サーバは、第１の固定端末から電子バリューの供給が指示されると、第１のモバイル端末に支払いを請求するのが望ましい。
【０１３１】
また、本発明の電子バリュー活用システム、本発明の電子バリュー活用方法、本発明のサーバ装置および本発明のサーバ装置並びに本発明の記録媒体では、サーバは、第３のモバイル端末または第３の固定端末から電子バリューの供給が指示されると、第３のモバイル端末または第３の固定端末に支払いを請求するのが望ましい。
【０１３２】
また、本発明の電子バリュー活用システム、本発明の電子バリュー活用方法および本発明の記録媒体では、第１の固定端末または第２のモバイル端末によって供給が指示された電子バリューの対価の支払いとして、第１の固定端末、第１のモバイル端末または第２のモバイル端末は、貨幣価値を有する電子バリューをサーバに送信している。
【０１３３】
また、本発明の電子バリュー活用システム、本発明の電子バリュー活用方法および本発明の記録媒体では、第３のモバイル端末または第３の固定端末によって供給が指示された電子バリューの対価の支払いとして、第３のモバイル端末または第３の固定端末は、貨幣価値を有する電子バリューを前記サーバに送信している。
【０１３４】
このように、サーバが電子バリューの供給指示を受けると、サーバは、該電子バリューの対価として、貨幣価値を有する電子バリューによる支払いを供給指示を行った端末にその都度請求して、通信ネットワークを介して該貨幣価値を有する電子バリューを得ることができる。また、ユーザは、サーバから請求された支払いために、わざわざ外出して、例えばコンビニエンスストアなどに支払いをしに行く必要がないため、利便性の高い電子バリュー活用システム、電子バリュー活用方法およびサーバ装置並びに記録媒体を提供することができる。
【０１３５】
また、本発明の電子バリュー活用システム、本発明の電子バリュー活用方法および本発明の記録媒体では、第１の固定端末またはサーバは、供給指示された電子バリューの履歴／課金情報を蓄積する履歴／課金情報蓄積手段を有し、第１のモバイル端末は、履歴／課金情報蓄積手段に蓄積された履歴／課金情報に基づいて、支払いとして貨幣価値を有する電子バリューをサーバに送信している。
【０１３６】
特に、本発明の電子バリュー活用システム、本発明の電子バリュー活用方法および本発明の記録媒体では、第１のモバイルが、サーバに履歴／課金情報を送信している。
【０１３７】
また、本発明の電子バリュー活用システム、本発明の電子バリュー活用方法および本発明の記録媒体では、第４の固定端末またはサーバは、供給指示された電子バリューの履歴／課金情報を蓄積する履歴／課金情報蓄積手段を有し、第４の固定端末は、履歴／課金情報蓄積手段に蓄積された履歴／課金情報に基づいて、支払いとして貨幣価値を有する電子バリューをサーバに送信している。
【０１３８】
特に、本発明の電子バリュー活用システム、本発明の電子バリュー活用方法および本発明の記録媒体では、第４の固定端末が、サーバに履歴／課金情報を送信している。
【０１３９】
したがって、電子バリュー供給の指示毎にではなく、所定期間中に供給指示された電子バリューに関する履歴／課金情報に基づいて、ユーザが望んだ日時または規定の日時に、貨幣価値を有する電子バリューによる支払いを行うことができる。
【０１４０】
また、本発明の電子バリュー活用システム、本発明の電子バリュー活用方法、本発明のサーバ装置および本発明のサーバ装置並びに本発明の記録媒体では、サーバは貨幣価値を有する電子バリューによる清算処理を行い、清算処理結果を第１の固定端末または第２のモバイル端末に送信している。
【０１４１】
特に、本発明の電子バリュー活用システム、本発明の電子バリュー活用方法および本発明の記録媒体では、第１の固定端末は、送信された清算処理結果を用いて、履歴／課金情報蓄積手段に蓄積されている履歴／課金情報を更新している。
【０１４２】
また、本発明の電子バリュー活用システム、本発明の電子バリュー活用方法、本発明のサーバ装置および本発明のサーバ装置並びに本発明の記録媒体では、サーバは貨幣価値を有する電子バリューによる清算処理を行い、清算処理結果を第３のモバイル端末または第４の固定端末に送信している。
【０１４３】
特に、本発明の電子バリュー活用システム、本発明の電子バリュー活用方法および本発明の記録媒体では、第４の固定端末は、送信された清算処理結果を用いて、履歴／課金情報蓄積手段に蓄積されている履歴／課金情報を更新している。
【０１４４】
このように、支払いを行った端末に精算処理結果を送信して、履歴／課金情報を自動的に更新することができるため、端末を使用するユーザは精算処理結果を確認することができる。したがって、信頼性の高い電子バリュー活用システム、電子バリュー活用方法および記録媒体を提供することができる。また、該精算処理結果を用いて履歴／課金情報を更新しているために、ユーザは更新のための特別な操作を必要とせず、利便性の高い電子バリュー活用システム、電子バリュー活用方法および記録媒体を提供することができる。
【０１４５】
また、本発明の電子バリュー活用システム、本発明の電子バリュー活用方法および本発明の記録媒体では、第１の固定端末または第２のモバイル端末が、電子バリューを供給するよう指示した者の個人識別情報をサーバに送信している。
【０１４６】
特に、本発明の電子バリュー活用システム、本発明の電子バリュー活用方法および本発明の記録媒体では、個人識別情報は、第１のモバイル端末から供給されている。
【０１４７】
特に、本発明の電子バリュー活用システム、本発明の電子バリュー活用方法および本発明の記録媒体では、個人認識情報はサーバが復号化できるよう暗号化されている。
【０１４８】
また、本発明の電子バリュー活用システム、本発明の電子バリュー活用方法および本発明の記録媒体では、第３のモバイル端末または前記第４の固定端末が、電子バリューを供給するよう指示した者の個人識別情報をサーバに送信している。
【０１４９】
したがって、サーバは、送信されたユーザＩＤやパスワード等の個人認識情報を参照して、電子バリューを供給するよう指示した者を確実に特定することができる。また、個人認識情報が暗号化されている場合においては、たとえ通信ネットワーク中または途中の端末で不正に読み出されても、該情報はサーバのみが復号化することができるよう設定されているため、読み出した個人認識情報から有効な情報を得ることができず、信頼性または安全性の高い電子バリュー活用システム、電子バリュー活用方法および記録媒体を提供することができる。
【０１５０】
また、本発明の電子バリュー活用システム、本発明の電子バリュー活用方法、本発明のサーバ装置および本発明のサーバ装置並びに本発明の記録媒体では、電子バリューは設定された日時に供給されている。
【０１５１】
したがって、電子バリューを、例えば該電子バリューの供給を指示した者が設定した日時に供給することができるため、利便性の高い電子バリュー活用システム、電子バリュー活用方法およびサーバ装置並びに記録媒体を提供することができる。
【０１５２】
また、本発明の電子バリュー活用システム、本発明の電子バリュー活用方法および本発明の記録媒体では、固定端末が有する情報蓄積手段に蓄積された情報が固定端末からモバイル端末に転送され、通信ネットワークを介してサーバに送られる。
【０１５３】
特に、本発明の電子バリュー活用システム、本発明の電子バリュー活用方法および本発明の記録媒体では、モバイル端末に転送された情報は、固定設置された他の固定端末へと転送された後、通信ネットワークを介してサーバに送信される。
【０１５４】
したがって、情報が例えば履歴情報や課金情報である場合など、ユーザは該履歴／課金情報を一度モバイル端末に格納してから、モバイル端末を用いて該履歴／課金情報を確認した後、モバイル端末から、または他の固定端末を介してサーバに送信することができる。このように、ユーザが情報蓄積手段の情報の内容を予め確認することができるため、利便性の高い電子バリュー活用システム、電子バリュー活用方法および記録媒体を提供することができる。
【０１５５】
【発明の実施の形態】
以下、本発明の電子バリュー活用システム、電子バリュー活用方法およびサーバ装置並びに記録媒体の実施の形態について、図面を参照して詳細に説明する。なお、各実施形態の説明では、本発明に係る電子バリュー活用システムおよび電子バリュー活用方法について詳述するが、本発明に係る記録媒体については、電子バリュー活用方法を実行させるためのプログラムを記録した記録媒体であることから、その説明は以下の電子バリュー活用方法の説明に含まれるものである。また、本発明は実施形態または実施例を説明する記載に何等限定されるものではなく、その要旨を逸脱しない範囲において、種々なる態様で実施し得る。
【０１５６】
また、本発明の電子バリュー活用システム、電子バリュー活用方法および記録媒体を包括するものを、以下、電子バリュー活用システムと総称する。該電子バリュー活用システムは、通信ネットワークを介して、電子バリューを購入するための電子バリュー購入システムや、電子バリューを使用するための電子バリュー使用システムを含むものとする。なお、電子バリューとは、貨幣価値を有する電子プリペイドカードや各種イベントや公演、映画等の電子情報化された電子チケット、有料放送番組を視聴するための電子情報化された有料放送視聴チケット等を総称したものである。
【０１５７】
以下、電子バリュー活用システムの実施の形態について、電子バリュー購入システムを第１の実施形態、また、電子バリュー使用システムを第２の実施形態として順に説明する。さらに、総括的な電子バリュー活用システムとして第３の実施形態について説明する。
【０１５８】
〔第１の実施形態〕
図１は、本発明に係る電子バリュー活用システムの第１の実施形態である電子バリュー購入システムを示すブロック構成図である。なお、本実施形態において、本発明に係る電子バリュー活用システムは電子バリュー購入システムのために用いられている。
【０１５９】
同図において、本実施形態の電子バリュー活用システム１０は、固定端末１１と、モバイル端末１３と、サーバ１５とを備えて構成されており、各々が、有線または無線による公衆電話回線や専用線、衛星通信回線などによって構成された通信ネットワークに接続されている。
【０１６０】
まず、固定端末１１は、ユーザの自宅や友人宅、ホテルの部屋等に設置されたパーソナルコンピュータ（ＰＣ）、セットトップ・ボックス（ＳＴＢ）、インターネットテレビ、コンビニエンスストア（以下、単にコンビニという）やチケット販売代理店等に設置されたＰＯＳ（Point of Sales）端末または自動販売機、またはイベント会場等のゲートに設置された改札機等である。なお、ＳＴＢとは、例えば家庭内に設置するテレビジョンの付加機器であり、通信ネットワークを介して送られる圧縮映像を伸長する機能とテレビジョンを多目的に利用することを可能にする簡単なパソコン機能とを有した手段である。
【０１６１】
また、固定端末１１は、多くの場合、有線で通信ネットワークに接続されている。また、ＰＨＳ等の無線で接続されている場合もある。但し、常時、通信ネットワークに接続されているとは限らない。また、固定端末１１は、電子プリペイドカードや電子チケット、有料放送視聴チケット等の電子バリューを、モバイル端末１３と赤外線（IrDA）や近距離用無線（例えば、Bluetooth）で通信可能な通信手段、または可搬型の小型メモリカード等に記録されたデータを読み書き可能な手段を備えている。
【０１６２】
また、モバイル端末１３は、携帯電話機やＰＤＡ（携帯情報端末）、ノートパソコン等であり、無線または有線で通信ネットワークに接続された持ち運び可能な移動端末である。また、モバイル端末１３は、固定端末１１と赤外線通信（IrDA）または近距離用無線（例えば、Bluetooth）で通信可能な通信手段、または可搬型の小型メモリカード等に記録されたデータを読み書き可能な手段を備えている。
【０１６３】
なお、固定端末１１が有する電子バリュー等の内容を表示する表示部は、モバイル端末１３が有する表示部よりも大きい。すなわち、固定端末１１の表示部は大画面であり、モバイル端末１３の表示部は小画面である。また、固定端末１１が有する電子バリュー等を記憶するメモリやハードディスクの記憶容量は、モバイル端末１３が有するメモリの記憶容量よりも大きい。また、固定端末１１は、モバイル端末１３と比較して通信エラー等の不具合が生ずる確率が低く、信頼性が高い。
【０１６４】
また、固定端末１１は、例えば自宅に設置されている場合では家族で共有され、また、コンビニやチケット販売代理店等の店舗に設置されている場合では不特定多数の人々によって共有されている。一方、モバイル端末１３は個人が所有するものである。
【０１６５】
さらに、サーバ１５は、電子プリペイドカードを発行する電子プリペイドカード発行サーバ、電子チケットを発行する電子チケット発行サーバ、または有料視聴チケットを発行する有料放送視聴チケット発行サーバ等である。また、サーバ１５は、通信ネットワークを介して固定端末１１およびモバイル端末１３に接続されており、固定端末１１やモバイル端末１３から電子バリューの注文を受けたり、固定端末１１やモバイル端末１３に電子バリューをダウンロードしたり、電子バリューの注文に関する決済を行う。
【０１６６】
本実施形態の電子バリュー活用システム１０は、図２に示すように、サーバ１５が、電子チケット等の電子バリューの注文を固定端末１１から受けて、該注文に関する決済をモバイル端末１３と行い、注文された電子バリューをモバイル端末１３にダウンロードする。また、図３に示すように、モバイル端末１３から受けた注文をサーバ１５が処理して、該注文に関する決済をモバイル端末１３と行い、注文された電子バリューを固定端末１１にダウンロードする。なお、モバイル端末１３にダウンロードされた電子バリューを赤外線通信や近距離用無線通信、可搬型の小型メモリカード等を用いて固定端末１１に転送したり、逆に、固定端末１１にダウンロードされた電子バリューをモバイル端末１３に転送しても良い。
【０１６７】
（第１実施例）
図４は、電子バリュー活用システムの第１の実施形態としての電子バリュー購入システムに関する第１実施例を示すブロック構成図である。本実施例では、固定端末１１はユーザ（以下、ユーザＢと称す）が所有する自宅のＳＴＢまたはＰＣであり、サーバ１５は電子プリペイドカードを発行するための電子プリペイドカード発行サーバであり、ユーザＢが固定端末１１およびモバイル端末１３を使用する場合を想定している。
【０１６８】
まず、ユーザＢが固定端末１１を用いて電子プリペイドカードをサーバ１５に注文すると、サーバ１５はこれに応答してユーザＢの識別情報（以下、ユーザＩＤという）および固定端末１１のＩＤ（以下、端末ＩＤという）を要求する。ユーザＢが固定端末１１にユーザＩＤを入力して、該ユーザＩＤおよび端末ＩＤをサーバ１５に送信すると、サーバ１５はこれらＩＤを検証する。サーバ１５は、ユーザＩＤと端末ＩＤとが予め第１のＩＤテーブル（図示せず）に登録された情報と一致すれば、第１のＩＤテーブルからユーザＢが所有するモバイル端末１３の電話番号を得て、該モバイル端末１３に支払いを請求する。ユーザＢがこれに応答してサーバ１５と決済を行った後、サーバ１５はモバイル端末１３に電子プリペイドカードをダウンロードする。
【０１６９】
このように、本実施例によれば、通信ネットワークを介して電子プリペイドカードを購入できるため、従来のようなプリペイドカード購入のためわざわざ外出する手間を省くことができる。また、電子プリペイドカードの注文をいつでも行うことができるため、必要なときに必要な額の電子プリペイドカードを購入することができる。
【０１７０】
なお、サーバ１５がモバイル端末１３に支払いを請求する際、ユーザＢが注文した電子プリペイドカードに関する情報を、ユーザＢによる確認のためにモバイル端末１３に送信して、ユーザＢがモバイル端末１３に表示された前記情報を確認してから決済を行うようにしても良い。また、決済の後、すぐに電子プリペイドカードをダウンロードせずにサーバ１５に格納しておいて、ユーザＢが所望した日時にモバイル端末１３にダウンロードしても良い。この場合、電子プリペイドカードを受け取るまで、モバイル端末１３が有するメモリを節約することができる。また、電子プリペイドカードを受け取るまでの間に、例えばユーザＢがモバイル端末１３を紛失しても、購入した電子プリペイドカードはサーバ１５に格納されているために、モバイル端末１３の紛失に関する被害を小さくすることができる。
【０１７１】
（第２実施例）
図５は、電子バリュー活用システムの第１の実施形態としての電子バリュー購入システムに関する第２実施例を示すブロック構成図である。本実施例では、固定端末がユーザＢの友人等の他人が所有するもの（以下、固定端末１１ａとする）であり、ユーザＢが固定端末１１ａおよびモバイル端末１３を使用する場合を想定している。また、本実施例のサーバ１５は、電子チケットを発行するための電子チケット発行サーバであるとする。
【０１７２】
まず、ユーザＢが友人の所有する固定端末１１ａを用いてサーバ１５に電子チケットを注文すると、サーバ１５はこれに応答してユーザＩＤおよびパスワードを要求する。ユーザＢがこれに応答してユーザＩＤおよびパスワードを固定端末１１ａからサーバ１５に送信すると、サーバ１５はこれらを検証する。ユーザＩＤとパスワードとが予め第２のＩＤテーブル（図示せず）に登録された情報と一致すれば、サーバ１５は、第２のＩＤテーブルからユーザＢが所有するモバイル端末１３の電話番号を得て、モバイル端末１３への支払いの請求およびサーバ１５との決済を行う。サーバ１５は決済を行った後、モバイル端末１３に電子チケットをダウンロードする。
【０１７３】
したがって、本実施例によれば、ユーザＢの固定端末１１からではなく、ユーザＢの友人宅に設置された固定端末１１ａから電子チケットを注文し、ユーザＢが所有するモバイル端末１３で決済を行って、注文した電子チケットを通信ネットワークを介して得ることができる。このように、ユーザＢからユーザＤに電子チケットを送信することができるため、当該電子バリュー活用システムを友人や恋人へのプレゼントなどに利用することができる。また、通信ネットワークを介して電子チケットの送信できるため、遠方の友人にも気軽にプレゼントすることができる。さらに、サーバ１５はユーザＩＤだけでなくパスワードも検証してユーザの識別を行っているため、不正を働こうとする者によるユーザＢへのなりすまし等の犯罪を防止することができる。
【０１７４】
（第３実施例）
図６は、電子バリュー活用システムの第１の実施形態としての電子バリュー購入システムに関する第３実施例を示すブロック構成図である。本実施例では、第１実施例と略同様であるが、モバイル端末１３はユーザＩＤなどの情報を固定端末１１に送信するための送信機能を有し、固定端末１１はこれらの情報を受信するための受信機能を有する点が異なる。このため、本実施例では、サーバ１５からユーザＩＤが要求されたとき、ユーザＢは固定端末１１にユーザＩＤを入力せずに、モバイル端末１３を操作してユーザＩＤ入力待ち状態となった固定端末１１にユーザＩＤを固定端末１１に送信する。なお、ユーザＢのＩＤだけを送信しても良い。
【０１７５】
このように、本実施例によれば、モバイル端末１３を操作して固定端末１１にユーザＩＤを送信することができるため、ユーザＢがキーボード等の入力手段を用いてわざわざユーザＩＤを入力する手間を省くことができる。また、ユーザＩＤを直接入力しないため、誤入力を防ぐことができる。
【０１７６】
（第４実施例）
図７は、電子バリュー活用システムの第１の実施形態としての電子バリュー購入システムに関する第４実施例を示すブロック構成図である。本実施例は、第３実施例（図６）と略同様であるが、モバイル端末１３から固定端末１１へ送信されるユーザＩＤには電子署名が付けられ、固定端末１１へさらにはサーバ１５へと送信される点が第３実施例と異なる。
【０１７７】
このように、本実施例によれば、ユーザＩＤは電子署名が付いた状態でサーバ１５に送信されるため、サーバ１５は、例えば通信ネットワークの途中でユーザＩＤに改ざんが行われかについて判別することができる。したがって、不正を働こうとする者によるユーザＢへのなりすまし等の犯罪を防止することができる。
【０１７８】
（第５実施例）
図８は、電子バリュー活用システムの第１の実施形態としての電子バリュー購入システムに関する第５実施例を示すブロック構成図である。本実施例は第４実施例（図７）と略同様であるが、固定端末１１およびモバイル端末１３は、それぞれ双方向に通信可能な通信機能を有している点が第４実施例と異なる。
【０１７９】
さらに、第４の実施例では、サーバ１５からユーザＩＤが要求されると、ユーザＢが電子署名付きユーザＩＤを固定端末１１に送信する操作をモバイル端末１３に対して行っているが、本実施例では、サーバ１５からユーザＩＤが要求されると、固定端末１１がモバイル端末１３に対してユーザＩＤ送信要求を送信し、モバイル端末１３はこの要求に応えて、自動的に電子署名付きのユーザＩＤを固定端末１１に送信するモードとなる点が第４実施例と異なる。
【０１８０】
このように、本実施例によれば、モバイル端末１３は、固定端末１１からのユーザＩＤの送信要求に対して、自動的にユーザＩＤ送信モードとなるため、ユーザＩＤを固定端末１１に送信するためのモードに切り替える手間を省くことができる。また、さらにユーザＩＤを自動的に送信することもでき、この場合、ユーザ入力の手間を省くことができる。
【０１８１】
（第６実施例）
図９は、電子バリュー活用システムの第１の実施形態としての電子バリュー購入システムに関する第６実施例を示すブロック構成図である。本実施例は第５実施例（図８）と略同様であるが、モバイル端末１３は固定端末１１に対するリモコン機能を有している点が第５実施例と異なる。また、固定端末１１およびモバイル端末１３が共通鍵を有している点も異なる。
【０１８２】
さらに、本実施例では、モバイル端末１３を固定端末１１のリモコンとして操作可能なため、モバイル端末１３をリモコンモードにして、固定端末１１でのブラウジング操作を行う。また、モバイル端末１３は、固定端末１１からユーザＩＤが要求されると、ユーザＩＤ入力モードに切り替わり、ユーザＩＤを電子署名して固定端末１１に送信する。また、固定端末１１は、サーバ１５に送信する情報として、電子署名付きユーザＩＤおよび端末ＩＤに加えて、共通鍵で暗号化されたユーザＢが加入しているプロバイダや放送サービス事業者のサービスポイント等のデータを送信する。さらに、本実施例では、モバイル端末１３とサーバ１５との決済処理が行われた場合のみ、サーバ１５は、前記共通鍵で暗号化されたデータを電子チケットと共に送信する。
【０１８３】
したがって、本実施例によれば、ユーザＢは電子チケットと共に送信された前記データをモバイル端末１３に格納された共通鍵で復号化することができる。また、共通鍵で暗号化することにより、固定端末１１からモバイル端末１３へ決済が行われたときにのみ、サーバ１５に秘密のデータを送信することができる。
【０１８４】
（第７実施例）
図１０は、電子バリュー活用システムの第１の実施形態としての電子バリュー購入システムに関する第７実施例を示すブロック構成図である。本実施例は第５実施例（図８）と異なり、電子チケット（有料放送視聴チケットでも良い）をモバイル端末１３ではなく、固定端末１１に送信する。なお、電子チケットの注文は、第５実施例と同様に固定端末１１から行われ、決済も同様にモバイル端末１３との間で行われる。
【０１８５】
したがって、本実施例によれば、固定端末１１を複数人で共有している場合においても、固定端末１１で電子チケットを注文して、注文した電子チケットの支払いを特定個人のモバイル端末１３で行うことができる。また、固定端末１１が有するメモリやハードディスクの記憶容量は、モバイル端末１３が有するメモリの記憶容量と比較して大きいため、ユーザＢは、購入した電子チケットを格納するための空き記憶容量を心配する必要なく当該電子バリュー活用システムを活用することができる。
【０１８６】
（第８実施例）
図１１は、電子バリュー活用システムの第１の実施形態としての電子バリュー購入システムに関する第８実施例を示すブロック構成図である。本実施例は第５実施例（図８）と異なり、電子チケット（有料放送視聴チケットでも良い）をモバイル端末１３にではなく、該電子チケットを注文したユーザＢの友人（以下、ユーザＤと称す）が所有する固定端末１１ａまたはモバイル端末１３ａに送信する。また、ユーザＢが利用する固定端末１１からサーバ１５にＩＤを送信する際には、電子チケットが送信される固定端末１１ａ端末ＩＤ若しくはユーザＤのユーザＩＤ、またはモバイル端末１３ａの電話番号若しくは固定端末１１ａの電話番号が送信される点も異なる。なお、サーバ１５にユーザＤのユーザＩＤが登録されている場合には、固定端末１１ａ端末ＩＤまたはユーザＤのユーザＩＤが指定され、未登録の場合には、モバイル端末１３ａまたは固定端末１１ａの電話番号が指定される。
【０１８７】
このように、本実施例によれば、通信ネットワークを介してユーザＢからユーザＤに電子チケットを送信することができるため、当該電子バリュー活用システムを友人や恋人へのプレゼントなどに利用できる。また、通信ネットワークを介して電子チケットを送信できるため、遠方の友人にも気軽にプレゼントすることができる。なお、ユーザＢは電子チケットの送付先を複数指定することができるため、複数人に電子チケットを送信することができる。また、ユーザＤのユーザＩＤとモバイル端末１３ａの電話番号が第１のＩＤテーブルに登録されている場合、ユーザＢは固定端末１１ａの電話番号の代わりにユーザＤのユーザＩＤを送信しても良い。また、モバイル端末１３ａの電話番号に加えてユーザＤの名前を送信しても良い。
【０１８８】
（第９実施例）
図１２は、電子バリュー活用システムの第１の実施形態としての電子バリュー購入システムに関する第９実施例を示すブロック構成図である。本実施例は第８実施例（図１１）と略同様であるが、電子チケット（有料放送視聴チケットでも良い）を送信されたユーザＤが電子署名を付した電子チケット受取書（以下、単に受取書という）をサーバ１５に送信し、サーバ１５が電子チケットを注文したユーザＢに該受取書を送信する点が異なる。受領書には、受け取った電子チケットの内容や受け取った日時、電子チケットを送信したサーバ、受取人の情報等が含まれる。
【０１８９】
なお、ユーザＤにユーザＢの公開鍵ｂが送信され、ユーザＤが受取書をユーザＢの公開鍵ｂで暗号化して送信すると、ユーザＢはサーバ１５を介して該受取書を受け取ってユーザＢの秘密鍵ｂで復号化し、受取証を検証することができる。但し、ユーザＤがユーザＢの公開鍵ｂを有していれば電子チケットと共に送信する必要はない。また、本実施例では、受取書をユーザＢのモバイル端末１３に送信しているが、ユーザＢが所有する固定端末１１または固定端末１１およびモバイル端末１３の両方に送信しても良い。
【０１９０】
したがって、本実施例によれば、電子チケットをユーザＤに送信するよう注文したユーザＢは、ユーザＤが所望の電子チケットを確実に受け取ったかを確認することができる。また、受取書には電子署名が付されるか、ユーザＢの公開鍵ｂで暗号化されるため、信頼性または秘匿性の高い電子バリュー活用システムを提供することができる。
【０１９１】
（第１０実施例）
図１３は、電子バリュー活用システムの第１の実施形態としての電子バリュー購入システムに関する第１０実施例を示すブロック構成図である。本実施例は第９実施例（図１２）と略同様であるが、ユーザＤが送信する受取書の一部として、ユーザＤからのメッセージ等の情報がユーザＢの公開鍵ｂで暗号化されてユーザＤに送信される点が異なる。なお、該メッセージには電子署名を付しても良い。したがって、本実施例によれば、ユーザＤはサーバ１５に内容を知られずに受取書と併せてメッセージをユーザＢに送信することができる。
【０１９２】
（第１１実施例）
図１４は、電子バリュー活用システムの第１の実施形態としての電子バリュー購入システムに関する第１１実施例を示すブロック構成図である。本実施例は第５実施例（図８）と略同様であるが、モバイル端末１３から固定端末１１にユーザＢのユーザＩＤを送信するときに、併せて番号等の検証用データを送信し、サーバ１５がモバイル端末１３に支払いを請求するときに該検証用データを送信する点が異なる。したがって、本実施例によれば、ユーザＢは送信した検証用データと受信した検証用データとを比較検証することによって、請求の正当性を確認することができる。
【０１９３】
（第１２実施例）
図１５は、電子バリュー活用システムの第１の実施形態としての電子バリュー購入システムに関する第１２実施例を示すブロック構成図である。本実施例では、固定端末がコンビニ等に設置されたＰＯＳ端末（以下、固定端末１１ｂとする）であり、モバイル端末１３はユーザ（ユーザＢ）が所有するものであり、ユーザＢが固定端末１１ｂおよびモバイル端末１３を使用する場合を想定している。
【０１９４】
本実施例は第５実施例（図８）と略同様であるが、モバイル端末１３から固定端末１１ｂに送信するユーザＢのユーザＩＤをサーバ１５の公開鍵ｃで暗号化する点が異なる。しがたって、本実施例によれば、固定端末１１ｂにおけるユーザＩＤの改ざんを防止することができる。また、固定端末１１ｂはサーバ１５の秘密鍵ｃを得ない限りユーザＩＤを知ることができないため、ユーザＩＤの不正利用を防止できるなど秘匿性の高い電子バリュー活用システムを提供することができる。
【０１９５】
なお、ユーザＢのユーザＩＤを固定端末１１ｂに送信するときに、併せて第１１実施例で用いた検証用データを送信して暗号化しても良い。また、ユーザＢがサーバ１５の公開鍵ｃを有していない場合は、サーバ１５がユーザＩＤを要求する際に該公開鍵を固定端末１１ｂを介してモバイル端末１３に送信すれば良い。
【０１９６】
（第１３実施例）
図１６は、電子バリュー活用システムの第１の実施形態としての電子バリュー購入システムに関する第１３実施例を示すブロック構成図である。本実施例では、固定端末１１ｂはコンビニ等に設置され、モバイル端末１３はユーザ（ユーザＢ）が所有するものであり、ユーザＢが固定端末１１ｂおよびモバイル端末１３を使用する場合を想定している。また本実施例では、モバイル端末１３とサーバ１５との間の通信には、必ず固定端末１１ｂが介在する態様をとっている。
【０１９７】
まず、ユーザＢが固定端末１１ｂを用いてサーバ１５に電子チケットを注文すると、サーバ１５はこれに応答してモバイル端末１３にユーザＢのユーザＩＤを要求する。ユーザＢがこれに応えてサーバ１５の公開鍵ｃで暗号化したユーザＩＤをサーバ１５に送信すると、サーバ１５はサーバ１５の秘密鍵ｃで送信されたユーザＩＤを復号化する。次にサーバ１５はモバイル端末１３に支払いを請求して、ユーザＢがこれに応答してサーバ１５と決済を行う。このとき、モバイル端末１３からサーバ１５に送信されるデータは、サーバ１５の公開鍵ｃで暗号化されたものであり、サーバ１５からモバイル端末１３に送信されるデータは、ユーザＢの公開鍵ｂで暗号化されたものである。決済が終了すると、サーバ１５はモバイル端末１３に電子バリューをダウンロードする。なお、モバイル端末１３からサーバ１５にユーザＩＤを送信する際に、併せてタイムスタンプを送信しても良い。また、ユーザＢがサーバ１５の公開鍵ｃを有していない場合は、サーバ１５がユーザＩＤを要求する際に該公開鍵をモバイル端末１３に送信すれば良い。
【０１９８】
このように、本実施例では、固定端末１１ｂを介してモバイル端末１３からサーバ１５へ送信されるデータがサーバ１５の公開鍵ｃで暗号化され、固定端末１１ｂを介してサーバ１５からモバイル端末１３へ送信されるデータがユーザＢの公開鍵ｂで暗号化される。したがって、固定端末１１ｂから該データが読み出されても、該データは暗号化されているため、該データからは有効な情報を得ることができない。したがって、本実施例は信頼性の高い電子バリュー活用システムを提供することができる。また、固定端末１１ｂとモバイル端末１３間は、赤外線（IrDA）や近距離用無線（Bluetooth）等を用いた通信コストのかからないローカル無線で通信を行うため、ユーザＢは通信費を気にせずにサーバ１５と通信することができる。
【０１９９】
（第１４実施例）
図１７は、電子バリュー活用システムの第１の実施形態としての電子バリュー購入システムに関する第１４実施例を示すブロック構成図である。本実施例は、第６実施例（図９）、第１１実施例（図１４）および第１２実施例（図１５）の電子バリュー活用システムを組み合わせたものである。すなわち、サーバ１５から固定端末１１を介してユーザＩＤの要求と共に共通鍵がモバイル端末１３に送信されると、ユーザＢは、モバイル端末を用いてユーザＩＤおよび検証用データをサーバ１５の公開鍵ｃで暗号化したものを固定端末１１ｂに送信し、固定端末１１ｂはこれらのデータと共通鍵で暗号化されたコンビニのサービスポイントなどのデータをサーバ１５に送信する。また、モバイル端末１３は、サーバ１５から支払いの請求が行われる際に送信される検証用データと、ユーザＩＤと共に固定端末１１に送信された検証用データとを比較検証する。また、決済が正常に行われたとき、サーバ１５は、電子チケットと共に共通鍵で暗号化された前記データをモバイル端末１３に送信する。該電子チケットおよびデータがモバイル端末１３に送信されると、ユーザＢは、モバイル端末１３に格納された共通鍵で前記データを復号化する。これにより、コンビニの固定端末１１ｂは、決済が行われた場合にのみ、該コンビニでのみ使用可能なクーポン等のデータをサーバ１５に内容を知られずにモバイル端末１３に送信することができる。また、支払いは固定端末１３ｂを介さないため、ユーザＢがユーザＩＤおよび検証用データを固定端末１３ｂに送信してしまえば、固定端末１３ｂを用いる必要がなくなる。したがって、サーバ１５の負荷を分散することができる。
【０２００】
（第１５実施例）
図１８は、電子バリュー活用システムの第１の実施形態としての電子バリュー購入システムに関する第１５実施例を示すブロック構成図である。本実施例は、第１４実施例（図１７）および第８実施例（図１１）を組み合わせたものに加えて、固定端末１１ｂは、ユーザＤ宛の共通鍵Ｂで暗号化した秘密のデータＢと、ユーザＢ宛の共通鍵Ａで暗号化したデータＡとをサーバ１５に送信する。サーバ１５は、決済が正常に行われたとき、共通鍵Ａで暗号化されたデータＡをモバイル端末１３に送信し、共通鍵Ｂで暗号化されたデータＢをユーザＤが所有する固定端末１１ａまたはモバイル端末１３ａに送信する。
【０２０１】
次に、図１９に示すように、ユーザＤは、固定端末１１ｂが設置された共通鍵Ｂを有するコンビニ等の店舗に、前記暗号化されたデータＢが格納されたモバイル端末１３ａ（または小型メモリカード）を持参して、ユーザＤのユーザＩＤまたはユーザＤが有するモバイル端末１３ａの電話番号と暗号化されたデータＢを固定端末１１に入力する。固定端末１１は該データＢを復号化して、該復号化されたデータＢをユーザＤのモバイル端末１３ａに送信する。なお、データＤが電子チケットそのものである場合、固定端末１１ａは復号化されたデータＤ、すなわち電子チケットをユーザＤに送信する。また、データＤがどちらの場合においても、ユーザＤが希望するとき、固定端末１１ａは電子チケットをクーポン（紙）として出力することができる。
【０２０２】
したがって、本実施例によれば、サーバ１５に内容を知られずに注文元のユーザＢと受取人のユーザＤとのそれぞれに、固定端末１１ｂが設置された店舗で使用可能なクーポン等を送信することができる。なお、秘密のデータＤはユーザＤの公開鍵ｄによって暗号化されても良い。この場合、固定端末１１がユーザＤの公開鍵ｄを有しているか、ユーザＢがユーザＤの公開鍵ｄを有しておりそれを固定端末１１に送信しなければならない。また、共通鍵Ａと共通鍵Ｂとは同一であっても良い。
【０２０３】
（第１６実施例）
図２０は、電子バリュー活用システムの第１の実施形態としての電子バリュー購入システムに関する第１６実施例を示すブロック構成図である。本実施例では、モバイル端末１３はユーザ（ユーザＢ）が所有するものであり、固定端末１１ｂはチケット販売代理店やコンビニ等の店舗に設置されたＰＯＳ端末で、ユーザＢがモバイル端末１３を使用する場合を想定している。また、サーバ１５は、電子チケットを発行する電子チケット発行サーバ（以下、単に発行サーバと称す）１５ａと、注文された電子チケットを格納するための電子チケット格納サーバ（以下、単に格納サーバと称す）１５ｂとから構成されている。なお、サーバ１５と固定端末１１ｂの管理者は同一である。
【０２０４】
まず、ユーザＢが例えば出先でモバイル端末１３を用いて発行サーバ１５ａにアクセスして、所望の電子チケットを注文する。発行サーバ１５ａはこれに応答してユーザＢと決済処理を行い、該決済処理が正常に行われると、注文された電子チケットを特定するための要求番号をユーザＢのモバイル端末１３に送信する。また、発行サーバ１５ａは、電子チケット、ユーザＢのユーザＩＤおよび要求番号を格納サーバ１５ｂに送信する。
【０２０５】
次に、ユーザＢは、固定端末１１ｂが設置された店舗に要求番号が格納されたモバイル端末１３を持参して、ユーザＢのユーザＩＤと要求番号とを固定端末１１ｂに送信し、注文した電子チケットのダウンロードを要求する。固定端末１１ｂが格納サーバ１５ｂにユーザＩＤおよび要求番号を送信すると、格納サーバ１５ｂはこれらユーザＩＤおよび要求番号と第４のＩＤテーブル（図示せず）とを用いてユーザＢが要求する電子チケットを特定し、固定端末１１ｂを介して該特定された電子チケットをモバイル端末１３にダウンロードする。
【０２０６】
したがって、本実施例によれば、ユーザＢが注文した電子チケットを必要とするときまで格納サーバ１５ｂに格納しておくことができるため、ユーザＢはイベントが始まる直前に電子チケットをダウンロードすることができ、チケットを紛失する可能性が極めて低くなる。また、ユーザＢがモバイル端末１３を紛失したときでも、他の方法で電子チケットを受け取ることもできる。また、モバイル端末１３が有するメモリを節約することもできる。なお、本実施例では、サーバ１５が発行サーバ１５ａと格納サーバ１５ｂとから成る構成を示したが、一つのサーバで実現されていても良い。また、要求番号を格納サーバ１５ｂの公開鍵で暗号化しても良い。
【０２０７】
（第１７実施例）
図２１は、電子バリュー活用システムの第１の実施形態としての電子バリュー購入システムに関する第１７実施例を示すブロック構成図である。本実施例では、モバイル端末１３はユーザ（ユーザＢ）が所有するものであり、固定端末１１ｂはチケット販売代理店やコンビニ等の店舗に設置されたものであり、サーバ１５は電子チケットを発行するための電子チケット発行サーバであり、ユーザＢがモバイル端末１３を使用する場合を想定している。また、固定端末１１ｂとサーバ１５の事業者は同一である。
【０２０８】
まず、ユーザＢがモバイル端末１３を用いて電子チケットを発行するサーバ１５にアクセスしてして、所望の電子チケットを注文する。このとき、該電子チケットをどこの店舗で受け取るかを指定する店舗ＩＤおよびユーザＢのユーザＩＤもサーバ１５に送信する。サーバ１５がこれに応答してモバイル端末１３とサーバ１５との間で決済が終了すると、モバイル端末１３に要求番号が送信され、また、ユーザＢが指定した店舗に設置されている固定端末１１ｂには要求番号、ユーザＢのユーザＩＤおよび電子バリューが送信される。固定端末１１ｂは、第５のＩＤテーブル（図示せず）に受信したこれらの情報を登録する。
【０２０９】
次に、ユーザＢは、ユーザＢが指定した店舗に要求番号が格納されたモバイル端末１３を持参して、ユーザＢのユーザＩＤと要求番号を固定端末１１ｂに送信し、注文した電子チケットのダウンロードを要求する。固定端末１１ｂは第５のＩＤテーブルを用いてこれらユーザＩＤおよび要求番号を検証し、これらの情報が予め第５のＩＤテーブルに登録された情報と一致すればユーザＢが要求する電子チケットを特定し、該特定された電子チケットをモバイル端末１３にダウンロードする。
【０２１０】
したがって、本実施例でも、第１６実施例と同様に、ユーザＢが注文した電子チケットを必要とするときまで固定端末１１ｂに格納しておくことができるため、紛失等の可能性が極めて低くなる。また、モバイル端末１３を紛失したときでも、他の方法で電子チケットを受け取ることができる。また、モバイル端末１３が有するメモリを節約することもできる。なお、本実施例では、ユーザＢは電子バリューを受け取る固定端末１１ｂを複数選択可能である。本実施例では、固定端末１１ｂに電子チケットが格納されているため、第１６実施例のようにサーバ１５に格納している場合よりも短時間でモバイル端末１３に電子チケットをダウンロードすることができる。
【０２１１】
また、他の実施例として、ユーザＢがサーバ１５に注文を行う際にユーザＢの公開鍵ｂをサーバ１５に送信して、サーバ１５が、固定端末１１ｂに送信する電子チケットをユーザＢの公開鍵ｂで暗号化するようにしても良い。この場合、暗号化された電子チケットはユーザＢのモバイル端末１３ではじめて復号化されため、固定端末１１ｂに電子チケットの内容を知られることがなく、また、固定端末１１ｂにおける電子チケットの改ざんまたは盗難を防止することができる。
【０２１２】
（第１８実施例）
図２２は、電子バリュー活用システムの第１の実施形態としての電子バリュー購入システムに関する第１８実施例を示すブロック構成図である。本実施例は、電子チケットを注文したユーザＢ自身が電子チケットを受け取る第１７実施例（図２１）と異なり、ユーザＢの友人等のユーザＤにプレゼントする一態様である。また、本実施例ではユーザＢがモバイル端末１３を所有し、ユーザＤがモバイル端末１３ａを所有するものとする。
【０２１３】
まず、ユーザＢがモバイル端末１３を用いて電子チケットを発行するサーバ１５にアクセスして、所望の電子チケットを注文する。このとき、第１７実施例（図２１）と同様に、電子バリューを受け取る店舗を指定する店舗ＩＤおよびユーザＢのユーザＩＤをサーバ１５に送信し、本実施例では、特に、ユーザＤのユーザＩＤもサーバ１５に送信する。なお、該ユーザＩＤはモバイル端末１３ａの電話番号でも良い。サーバ１５がモバイル端末１３との間で決済を終了すると、ユーザＤが有するモバイル端末１３ａに要求番号を送信し、ユーザＢが指定した店舗に設置されている固定端末１１ｂにユーザＤのユーザＩＤ、要求番号および電子バリューを送信する。固定端末１１ｂは、第６のＩＤテーブル（図示せず）に受信したこれらの情報を登録する。
【０２１４】
要求番号を受け取ったユーザＤは、モバイル端末１３ａをユーザＢが指定した店舗に持参し、該店舗に設置されている固定端末１１ｂにユーザＩＤおよび要求番号を送信する。固定端末１１ｂはこれらの情報を検証し、予め第６のＩＤテーブルに登録された情報と一致すればユーザＢが注文した電子チケットを特定し、該特定された電子チケットをモバイル端末１３ａにダウンロードする。
【０２１５】
したがって、本実施例によれば、モバイル端末１３を用いて簡単に電子チケットを友人等にプレゼントすることができるため、利便性の高い電子バリュー活用システムを提供することができる。また、ユーザＤに都合の良い店舗を指定することができるので、遠方の友人に送るにも便利である。なお、本実施例では、固定端末１１ｂがチケット販売代理店やコンビニ等の店舗に設置されているものとして説明したが、これに限らず、イベント会場の改札に設置されていても良い。この場合、イベント会場入場の直前に電子チケットをダウンロードすることができるため、紛失等が生ずる可能性をさらに小さくすることができる。
【０２１６】
なお、ユーザＢが既に電子チケットを有している場合、ユーザＢは、サーバ１５を介してまたはサーバ１５を介さないで、該電子チケットをユーザＤが所有するモバイル端末１３ａに直接送信しても良い。また、サーバ１５を介して電子チケットを送信するとき、電子チケットを一時サーバ１５に格納しておき、ユーザＤが所望した日時に固定端末１１ａまたはモバイル端末１３ａに送信しても良い。
【０２１７】
（第１９実施例）
図２３は、電子バリュー活用システムの第１の実施形態としての電子バリュー購入システムに関する第１９実施例を示すブロック構成図である。本実施例は、電子バリュー活用システムを利用してもらったユーザＢに対して、チケット販売代理店やコンビニ等の店舗がサービスを行いたいときに活用できるシステムである。
【０２１８】
本実施例は、第１８実施例（図２２）と略同様であるが、サーバ１５には予め固定端末１１ｂの端末ＩＤと共通鍵で暗号化された秘密のデータとが対応した第７のＩＤテーブル（図示せず）がサーバ１５にあり、サーバ１５からモバイル端末１３ａや固定端末１１ｂに要求番号等の情報が送信された後、決済が行われ、サーバ１５からモバイル端末１３に前記暗号化されたデータが送信される点が異なる。
【０２１９】
ユーザＢがモバイル端末１３を固定端末１１ｂが設置されている店舗に持参し、ユーザＢのユーザＩＤおよび暗号化されたデータを固定端末１１ｂに送信すると、固定端末１１ｂは共通鍵で暗号化されたデータを復号化して、モバイル端末１３に割引券等のサービスを提供する。なお、サーバ１５から固定端末１１ｂに送信される情報は、ユーザＤのユーザＩＤ、要求番号および電子チケットに加えて、サーバ１５のサーバＩＤおよびユーザＢのユーザＩＤも送信される。
【０２２０】
また、他の実施例として、サーバ１５から固定端末１１ｂに送信される電子チケットをユーザＤの公開鍵ｄで暗号化しても良い。この場合、固定端末１１ｂは電子チケットの内容を知ることができないため、秘匿性の高い電子バリュー活用システムを提供することができる。但し、この場合、サーバ１５にユーザＤの公開鍵ｄが登録されているか、ユーザＢがサーバ１５に該公開鍵を送信する必要がある。
【０２２１】
以上のように、本実施形態の電子バリュー活用システム（電子バリュー購入システム）によれば、消費者が店員との間で、直接、現金やレシートを受け渡したり、クレジットカードによる煩雑な決済を行う必要なく、電子バリューを用いた商品やサービスの決済や電子バリューの送受信を通信ネットワークを介して行なうことができる。したがって、利便性の高い販売／決済システムを提供することができる。また、ユーザＩＤの暗号化、パスワードの使用、電子バリューの受け取り確認用データの送付などを行うことにより、信頼性または安全性の高い販売／決済システムを提供することができる。
【０２２２】
また、サーバや固定端末の運営形態に応じて暗号化の形態を変えることによって、それぞれの利益にかなった方法で、購入された電子バリュー以外のクーポンやメッセージ等のデータをやりとりすることができる。
【０２２３】
なお、本実施形態においては、いずれの実施例においても、モバイル端末１３が有するメモリの空き容量があまりない場合、また、ダウンロードされた電子バリューをそのとき使用する必要がない場合など、ユーザＢは、ダウンロードされた電子バリューを該ユーザが所有する固定端末１１に転送して格納しておいても良い。また、電子バリューを注文したユーザＢは、設定により電子バリューがダウンロードされる日時を選択することができる。
【０２２４】
〔第２の実施形態〕
図２４は、本発明に係る電子バリュー活用システムの第２の実施形態である電子バリュー使用システムを示すブロック構成図である。同図において、図１（第１の実施形態）と重複する部分には同一の符号を附して説明を省略する。なお、本実施形態において、本発明に係る電子バリュー活用システムは電子バリュー使用システムのために用いられている。
【０２２５】
また、本実施形態の電子バリュー活用システム２０は、第１の実施形態の電子バリュー活用システム１０と同様に、固定端末１１、モバイル端末１３およびサーバ１５を備えて構成されている。また、図２４に示すように、デジタルテレビ放送等によってユーザに放送データを送信する放送サービスの提供を行うために設けられた放送サーバ１５ｃを備えても良い。
【０２２６】
また、本実施形態において、固定端末１１としては、ＰＣやＳＴＢ、コンビニ等に設置されたＰＯＳ端末の他に、ガスメータや電気メータ等が考えられる。また、サーバ１５としては、有料放送番組の視聴料を精算するための放送料金精算サーバやガス料金や電気料金を精算するガス・電気精算サーバ、その他、通信販売や新聞、雑誌の購読料金等の精算、放送料金の精算、ガス・電気の精算を組み合わせた精算サーバ等が考えられる。
【０２２７】
本実施形態の電子バリュー活用システム２０は、図２５に示すように、サーバ１５が固定端末１１からサービスの要求を受けて、該要求に関する処理をモバイル端末１３と行い、要求されたサービスまたは該サービスに関するデータをモバイル端末１３または固定端末１１に送信する。また図２６に示すように、要求されたサービスまたは該サービスに関するデータを固定端末１１または放送サーバ１５ｃに送信しても良い。放送サーバ１５ｃは、放送サービスを固定端末１１または他の固定端末１１に送信する。なお、他の実施形態として、モバイル端末１３と固定端末１１だけの場合もあり得る。また、サーバ１５がモバイル端末１３からサービスの要求を受けて、サービスを固定端末１１または他のモバイル端末に送信しても良い。また、固定端末１１からサーバ１５に送信される要求は、湖底端末１１からモバイル端末１３を介してサーバ１５に送信されても良い。
【０２２８】
（第１実施例）
図２７は、電子バリュー活用システムの第２の実施形態としての電子バリュー使用システムに関する第１実施例を示すブロック構成図である。本実施例では、固定端末１１はユーザ（以下、ユーザＢと称す）の自宅に設置されたＳＴＢまたはＰＣであり、サーバ１５は放送料金精算サーバであり、ユーザＢが固定端末１１およびモバイル端末１３を使用する場合を想定している。なお、固定端末１１には、ユーザＢが視聴した有料放送番組の履歴情報（課金情報）が格納されている。また、モバイル端末１３には、電子バリューとして電子プリペイドカードが格納されている。
【０２２９】
ユーザＢは、モバイル端末１３を用いて固定端末１１に履歴情報の送信を要求すると、固定端末１１がこれに応答して、連絡するサーバ１５の電話番号と共に履歴情報をモバイル端末１３に送信する。次に、ユーザＢはモバイル端末１３を用いて該履歴情報をサーバ１５に送信し、精算を要求する。サーバ１５は、この精算要求に応じて、電子プリペイドカードによる支払いをモバイル端末１３に請求し、電子プリペイドカードにより精算処理を行う。サーバ１５はレシートと共に精算の処理結果をモバイル端末１３に送信し、ユーザＢは該処理結果を固定端末１１に送信する。固定端末１１は、送信された処理結果に基づいて履歴情報を更新する。
【０２３０】
このように、本実施例によれば、ユーザＢは、電子プリペイドカードを利用していつでも有料放送番組の清算を行うことができるため、利便性の高い電子バリュー活用システムを提供することができる。
【０２３１】
なお、精算処理は、電子プリペイドカードによる支払いのみに限らず、クレジットによる決済や銀行引き落とし等の処理によっても行うことができる。また、サーバ１５による精算の処理結果は、固定端末１１に直接送信されても良い。また、固定端末１１およびサーバ１５が同じ共通鍵を有しているとき、固定端末１１からモバイル端末１３に送信される履歴情報およびサーバ１５から送信される処理結果を、共通鍵で暗号化しても良い。また、電子バリューにサーバ１５の電話番号が組み込まれている場合、モバイル端末１３にサーバ１５の電話番号を送信する必要はない。
【０２３２】
また、他の実施例として、固定端末１１をガスメータや電気メータとし、サーバ１５をガス・電気精算サーバとしても良い。この場合、ユーザＢがモバイル端末１３を用いてガス料金や電気料金の課金情報を要求すると共にユーザＢのユーザＩＤを固定端末１１に送信することによって、正当なユーザに該ユーザの課金情報を送信することができる。
【０２３３】
（第２実施例）
図２８は、電子バリュー活用システムの第２の実施形態としての電子バリュー使用システムに関する第２実施例を示すブロック構成図である。本実施例は第１実施例（図２７）と略同様であるが、固定端末１１は、モバイル端末１３から送信されたユーザＩＤとユーザＩＤ、履歴情報（課金情報）およびユーザの公開鍵とが対応した履歴テーブルとを用いて、履歴情報を公開鍵で暗号化してモバイル端末１３に送信する点が異なる。該暗号化された履歴情報は秘密鍵で復号化されることによって有効な情報となるため、本実施例によれば、特定のユーザだけが該ユーザの履歴情報を知ることができるため、他人による不正な履歴情報の入手を防止することができる。
【０２３４】
（第３実施例）
図２９は、電子バリュー活用システムの第２の実施形態としての電子バリュー使用システムに関する第３実施例を示すブロック構成図である。本実施例では、固定端末１１はガスメータや電気メータ等（以下、固定端末１１ｃとする）であり、サーバ１５はガス・電気精算サーバであり、ユーザＢがモバイル端末１３を使用してユーザＢの自宅に設置されているＳＴＢやＰＣ等の固定端末を介してサーバ１５と通信を行う場合を想定している。なお、固定端末１１ｃにはユーザＢが使用したガスまたは電気の課金情報が格納されている。また、モバイル端末１３には、電子バリューとして電子プリペイドカードが格納されている。
【０２３５】
本実施例では、まず、ユーザＢは、モバイル端末１３を用いて固定端末１１ｃに課金情報の送信を要求すると、固定端末１１ｃはこれに応じて連絡するサーバ１５の電話番号と共に課金情報をモバイル端末１３に送信する。ユーザＢがモバイル端末１３を用いて課金情報およびサーバ１５の電話番号を固定端末１１に送信すると、固定端末１１は、サーバ１５の電話番号とサーバＩＤとが対応したサーバテーブルを用いてサーバ１５の電話番号を特定する。次に、固定端末１１は、該サーバ１５にアクセスして課金情報を送信し、サーバ１５にガス料金や電気料金の精算を要求する。
【０２３６】
サーバ１５は、該精算要求に応じて、電子プリペイドカードによる支払いをモバイル端末１３に請求し、請求した額を電子プリペイドカードを用いて精算処理を行う。次に、サーバ１５はレシートと共に精算の処理結果をモバイル端末１３に送信し、ユーザＢは該処理結果を固定端末１１ｃに送信する。固定端末１１ｃは、送信された処理結果に基づいて課金情報を更新する。なお、サーバＩＤがサーバ１５の電話番号である場合、サーバテーブルは必要ない。
【０２３７】
また、固定端末１１ｃおよびサーバ１５が同じ共通鍵を有しているとき、固定端末１１ｃからモバイル端末１３に送信される課金情報およびサーバ１５から送信される処理結果を、共通鍵で暗号化しても良い。このとき、固定端末１１ｂから課金情報や処理結果が不正に読み出されても、共通鍵で暗号化されているために、これら課金情報や処理結果からは有効な情報を得ることができない。
【０２３８】
また、他の実施例として、固定端末１１が特にコンビニ等の店舗に設置されたＰＯＳ端末であり、固定端末１１ｃまたはモバイル端末１３がサーバ１５の公開鍵ｃを有し、サーバ１５がユーザＢの公開鍵ｂを有している場合、固定端末１１を介してモバイル端末１３とサーバ１５との間でやりとりされる通信データをお互いの公開鍵で暗号化しても良い。該他の実施例によれば、課金情報や処理結果、電子バリュー等が暗号化されているため、秘匿性の高い電子バリュー活用システムを提供することができる。
【０２３９】
このように、本実施例によれば、固定端末１１とモバイル端末１３間、モバイル端末１３と固定端末１１ｃ間は赤外線（IrDA）や近距離用無線（Bluetooth）等のローカル無線で通信を行うため、通信コストがかからない。また、固定端末１１から通信ネットワークへの接続料金と、モバイル端末１３から通信ネットワークへの接続料金とを比較したとき、通常、固定端末１１から接続したときの料金の方が安く設定されており、本実施例では、サーバ１５との通信は固定端末１１が行っているため、本実施形態の第３実施例等のようにモバイル端末１３が行うよりも通信コストを軽減することができる。
【０２４０】
（第４実施例）
図３０は、電子バリュー活用システムの第２の実施形態としての電子バリュー使用システムに関する第４実施例を示すブロック構成図である。本実施例では、固定端末１１はユーザＢが所有する自宅のＳＴＢまたはＰＣであり、サーバ１５はガスや電気、通信販売、有料放送等の各種精算を行うための精算サーバであり、ユーザＢはモバイル端末１３を用いて固定端末１１を介したサーバ１５との通信を行う場合を想定している。なお、サーバ１５には、例えば電気の課金情報が格納されている。また、モバイル端末１３には、電子バリューとして電子プリペイドカードが格納されている。
【０２４１】
本実施例では、まず、ユーザＢは、モバイル端末１３を用いてサーバ１５にユーザＢのユーザＩＤを送信し、課金情報の提示を要求する。このとき、ユーザＩＤの入力と履歴情報の要求の入力を、ユーザＢが固定端末１１を用いて直接行っても良い。サーバ１５が要求された課金情報をモバイル端末１３に送信した後、ユーザＢがサーバ１５に対して精算を要求すると、サーバ１５は電子バリューによる支払いをモバイル端末１３に請求する。サーバＢは、電子プリペイドカードにより精算処理を行い、レシートと共に精算の処理結果をモバイル端末１３に送信する。またサーバ１５は、精算処理が終了した後、処理結果に基づいて課金情報を更新する。
【０２４２】
また、他の実施例として、固定端末１１が特にコンビニ等の店舗に設置されたＰＯＳ端末であり、モバイル端末１３がサーバ１５の公開鍵ｃを有し、サーバ１５がユーザＢの公開鍵ｂを有しているとき、固定端末１１を介してモバイル端末１３とサーバ１５との間でやりとりされる通信データを、お互いの公開鍵で暗号化しても良い。また、サーバ１５から固定端末１１に送信される秘密のデータが固定端末１１で表示される場合、サーバ１５において該データを共通鍵で暗号化して固定端末１１に送信しても良い。この場合、通信ネットワークやＰＯＳ端末等において通信データが不正に読み出されても、該通信データは暗号化されているため、該通信データからは有効な情報を得ることはできず、信頼性の高い電子バリュー活用システムを提供することができる。また、サーバ１５との通信はＰＯＳ端末を介して行うので、ユーザＢは通信コストをかけずにサーバ１５と通信できる。なお、ユーザＢは、固定端末１１を直接操作して、固定端末１１を課金情報確認モードにしたり、精算処理モードにすることもできる。
【０２４３】
（第５実施例）
図３１は、電子バリュー活用システムの第２の実施形態としての電子バリュー使用システムに関する第５実施例を示すブロック構成図である。本実施例は、ユーザＢの自宅に設置されたＳＴＢまたはＰＣ等の固定端末１１と、ユーザＢが有するモバイル端末１３と、サーバ１５との他に、放送サーバ１５ｃを備えて構成されている。なお、本実施例でも、ユーザＢがモバイル端末１３を使用して固定端末１１を介してサーバ１５と通信を行う場合を設定している。また、モバイル端末１３には、電子バリューとして有料放送視聴チケットが格納されている。
【０２４４】
本実施例では、まず、ユーザＢが固定端末１１を用いて有料放送サービスの提供をサーバ１５に要求する。サーバ１５がこれに応じて、電子バリューによる支払いをモバイル端末１３に請求して、電子バリューにより精算処理を行う。サーバ１５は、レシートとして処理結果をモバイル端末１３に送信し、また、要求された有料放送サービスの送信要求を放送サーバ１５ｃに対して行う。放送サーバ１５ｃは、該有料放送サービスを固定端末１１に送信するよう放送サーバ１５ｃに要求し、有料放送サービスの利用のために特定の鍵が必要であれば鍵情報の送信要求も行う。
【０２４５】
このように、本実施例によれば、電子バリューを支払うことによって、固定端末１１に有料放送サービスを受信することができるため、利便性の高い電子バリュー活用システムを提供することができる。
【０２４６】
（第６実施例）
図３２は、電子バリュー活用システムの第２の実施形態としての電子バリュー使用システムに関する第６実施例を示すブロック構成図である。本実施例は、第５実施例（図３１）と異なり、有料放送サービスを注文したユーザＢの友人（以下、ユーザＤと称す）が所有する固定端末１１ａに該有料放送サービス送信する。なお、固定端末１１はコンビニ等の店舗に設置されたＰＯＳ端末であっても良い。この場合、固定端末１１を介してモバイル端末１３とサーバ１５との間でやりとりされる通信データをお互いの公開鍵で暗号化しても良い。
【０２４７】
このように、本実施例によれば、電子バリューを支払うことによって、固定端末１１からユーザＤの固定端末１１ａに有料放送サービスの送信を要求することができるため、利便性の高い電子バリュー活用システムを提供することができる。
【０２４８】
（第７実施例）
図３３は、電子バリュー活用システムの第２の実施形態としての電子バリュー使用システムに関する第７実施例を示すブロック構成図である。本実施例は、固定端末としてコンビニ等の店舗に設置されたＰＯＳ端末１１ｄとユーザＢが有するモバイル端末１３とから構成されている。また、モバイル端末１３には電子バリューとしての電子マネーが格納されている。
【０２４９】
本実施例では、ユーザＢはサービスの対価として電子マネーによる支払いを、モバイル端末１３を用いて行った後、レシートとしてＰＯＳ端末１１ｄから清算に関する処理結果を受信する。モバイル端末１３は、処理結果が正しくモバイル端末１３に送信されたかをＰＯＳ端末１１ｄが確認するために、ＰＯＳ端末１１ｄにアクノーリッジを送信する。アクノーリッジとは、処理結果をハッシュ演算して、ダイジェストを生成し、電子バリューの秘密鍵で暗号化したものである。該アクノーリッジを受信したＰＯＳ端末１１ｄは、これを電子バリューの公開鍵で復号化してダイジェストを生成し、モバイル端末１３に送信した処理結果をハッシュ演算して生成したダイジェストと、アクノーリッジから生成されたダイジェストとを比較して検証する。ＰＯＳ端末１１ｄは、ダイジェストの検証結果に異常がなければ一連の処理を終了する。
【０２５０】
このように、本実施例によれば、モバイル端末１３に正しく処理結果が送信されたかを確認してから、一連の処理を終了するため、より信頼性の高い電子バリュー活用システムを提供することができる。
【０２５１】
以上のように、本実施形態の電子バリュー活用システム（電子バリュー使用システム）によれば、係員等に対して個人情報が記載された請求書やチケット等を提示したりする必要なく、電子バリューを利用した清算処理やサービスの受け取りを通信ネットワークを介して行うことができるため、利便性の高い決済／サービス提供システムを提供することができる。また、履歴情報や課金情報、処理結果等を暗号化することによって、有効な個人情報の流出を防止することができるため、信頼性または安全性の高い決済／サービス提供システムを提供することができる。
【０２５２】
また、テレビ放送など、情報を一方向に送信するサービスを提供している事業者にとっては、サービス提供先の固定端末に記憶された課金情報を得るための通信手段を新たに設ける必要がない。したがって、該事業者の負担を軽減することができる。また、現在、有料放送の料金は家庭のテレビならばその家の契約者に請求され、ホテルならばその部屋の宿泊者に請求されるが、該電子バリュー活用システムによれば、誰でも支払いをすることができる。
【０２５３】
なお、本実施形態においては、いずれの実施例においても、清算処理結果やサービスの提供に関する処理結果がユーザのもとに正しく送信されたかをサーバ１５が確認するために、サーバ１５にアクノーリッジを送信しても良い。この場合、アクノーリッジを受信しない限り一連の処理は終了されないため、より信頼性の高い電子バリュー活用システムを提供することができる。
【０２５４】
〔第３の実施形態〕
図３４は、本発明に係る第３の実施形態の電子バリュー活用システムを示すブロック構成図である。同図において、本実施形態の電子バリュー活用システムは、赤外線通信および無線通信の２系統の双方向通信機能と、電子バリュー購入機能および電子バリュー使用機能とを持つモバイル端末１００と、赤外線通信および無線通信との２系統の双方向通信機能を持ち、電子バリューの自動使用処理を行なうゲート端末１０１と、設定情報などが格納されているサービスデータ領域および商品となるコンテンツデータを格納するコンテンツデータ領域を有した、オンラインサービスの提供と電子バリューによる決済処理を行なうコンテンツサーバ１０２と、双方向通信機能およびテレビ受信機能を持ち、テレビ放送の受信、オンライン上の情報の閲覧、コンテンツサーバ１０２からのサービス提供を受ける固定端末１０３と、クレジットサービス会社または決済処理会社におけるクレジット決済処理を行なう決済処理システム１０５と、イベント会社または電子チケット発行会社、小売販売会社、電子プリペイドカード発行会社における電子バリューの発行処理を行なう電子バリュー発行システム１０６と、モバイル端末１００とゲート端末１０１とコンテンツサーバ１０２と固定端末１０３と決済処理システム１０５と電子バリュー発行システム１０６とを結ぶ通信ネットワークの中心に位置し、電子バリューの提供および電子バリューの精算を行うサービス提供サーバ１０４と、ネットワークにおけるデータ伝送路を提供する通信ネットワーク１０８と、モバイル端末１００を通信ネットワーク１０８に接続する無線電話の基地局１０７とを備えて構成されている。
【０２５５】
図３４において、１０９はモバイル端末１００と基地局１０７との間で行なう無線通信の伝送路を示し、１１２は基地局１０７と通信ネットワーク１０８とを結ぶ通信回線、１１０は、モバイル端末１００とゲート端末１０１との間で行なう赤外線通信の伝送路、１１３はゲート端末１０１と通信ネットワーク１０８とを結ぶ通信回線、１１１はモバイル端末１００と固定端末１０３との間で行なう赤外線通信の伝送路、１１５は固定端末１０３と通信ネットワーク１０８とを結ぶ通信回線、１１６は通信ネットワーク１０８とサービス提供サーバ１０４とを結ぶ通信回線、１１４は通信ネットワーク１０８とコンテンツサーバ１０２とを結ぶ通信回線、１１７はサービス提供サーバ１０４と決済処理システム１０５とを結ぶ通信回線、１１８はサービス提供サーバ１０４と電子バリュー発行システム１０６とを結ぶ通信回線を示している。なお、通信回線は、アナログ回線でもデジタル回線でも良い。
【０２５６】
また、電子バリュー活用システムの通常の運用形態としては、次のような形態を想定している。まず、決済処理システム１０５はクレジットカード会社や銀行、決済処理会社に設置され、電子バリュー発行システム１０６はイベント会社やチケット発行会社、小売販売会社、プリペイドカード発行会社に設置される。また、ゲート端末１０１は映画館やイベント会場等の入り口に設置され、コンテンツサーバ１０２はオンライン上の販売店の運営会社に設置され、固定端末１０３は家庭やホテルの客室に設置され、モバイル端末１００を消費者が持ち歩く。また、サービス提供サーバ１０４は、本実施形態の電子バリュー活用システムを提供する会社に設置される。
【０２５７】
さらに、電子バリュー活用システムを構成する各機器、および各システムの所有者間の社会的な関係として、次のような関係を前提としている。まず、モバイル端末１００を所有する消費者は、クレジットカード会社または銀行との間でクレジットサービスの会員契約を、電子バリュー活用システムを提供する会社との間では電子バリュー活用システムの会員契約を、さらに、無線通信会社との間では無線通信サービスの契約を結んでいる。
【０２５８】
また、ゲート端末１０１の所有者、例えば映画館やイベント会場の経営者は、電子バリュー発行システム１０６の所有者との間で、電子バリュー発行システムが発行した電子バリューを取り扱う契約を、電子バリュー活用システムを提供する会社との間では電子バリュー活用システムの加盟店契約を、さらに、通信事業会社との間では通信サービスの契約を結んでいる。但し、ゲート端末１０１の所有者と電子バリュー発行システム１０６の所有者が、同一の所有者であっても良い。
【０２５９】
コンテンツサーバ１０２を所有する運営会社は、電子バリュー発行システム１０６の所有者との間で、電子バリュー発行システムが発行した電子バリューを取り扱う契約を、電子バリュー活用システムを提供する会社との間では電子バリュー活用システムの加盟店契約を、さらに、通信事業会社との間では通信サービスの契約を結んでいる。但し、コンテンツサーバ１０２の所有者と電子バリュー発行システム１０６の所有者が、同一の所有者であっても良い。また、コンテンツサーバ１０２が有料放送の視聴権を販売する場合、コンテンツサーバ１０２を所有する運営会社は、放送事業者との間で有料放送の視聴権を発行する契約を結んでいる。但し、コンテンツサーバ１０２の所有者と放送事業者が、同一の所有者であっても良い。
【０２６０】
電子バリュー発行システム１０６の所有者は、クレジットカード会社または銀行との間で、クレジットサービスの加盟店契約を、電子バリュー活用システムを提供する会社との間では電子バリュー活用システムのチケット発行者の契約を、さらに、通信事業会社との間では通信サービスの契約を結んでいる。但し、電子バリュー発行システム１０６の所有者が、電子バリュー活用システムを提供する会社であっても良い。
【０２６１】
また、決済処理会社が決済処理システム１０５を用いてクレジット決済処理を行なう場合、決済処理会社は、１社若しくは複数のクレジットカード会社または銀行との間で、決済処理会社が代行してクレジット決済処理を行う契約を結んでいる。
【０２６２】
なお、クレジットカードによってクレジット決済処理を行う決済処理システムが異なる場合には、図３４の決済処理システム１０５と同様の形態で、複数の決済処理システムがサービス提供サーバ１０４に通信回線によって接続される。
【０２６３】
同様に、電子バリューの種類によって電子バリュー発行システムが異なる場合には、図３４の電子バリュー発行システム１０６と同様の形態で、複数のチケット発行システムがサービス提供サーバ１０４に通信回線によって接続される。
【０２６４】
以下では、本実施形態の電子バリュー活用システムの説明を簡単にするために、モバイル端末１００を所有する消費者をユーザ、ゲート端末１０１またはコンテンツサーバ１０２を所有し、商品やサービスを提供・販売する事業者をマーチャント、サービス提供サーバ１０４を所有し、電子バリュー活用システムを提供する会社をサービス提供者、決済処理システム１０５を所有し、クレジット決済処理を行なうクレジットカード会社または決済処理会社を決済処理機関、電子バリュー発行システム１０６を所有し、電子バリューの販売を行なう事業者を電子バリュー発行者と呼ぶこととする。
【０２６５】
本実施形態の電子バリュー活用システムによって提供されるサービスは、通信ネットワークを介した電子バリューの売買と、それに伴う電子バリューの配送と、その電子バリューの使用とを全て電子的に行なうサービスである。
【０２６６】
具体的には、ユーザがモバイル端末１００を用いて、サービス提供サーバ１０４を介して電子バリュー発行システム１０６から電子バリューを購入し、サービス提供サーバ１０４から電子チケットや電子プリペイドカード等の電子バリューを受信して、それをモバイル端末に蓄積して管理し、電子バリューを使用する際には、モバイル端末１００とゲート端末１０１との通信、モバイル端末１００とコンテンツサーバ１０２との通信、または固定端末１０３を介したモバイル端末１００とコンテンツサーバ１０２との通信によって、モバイル端末に蓄積されている電子バリューによる決済処理を行なうものである。
【０２６７】
なお、決済処理には、有料コンテンツの種類により、コンテンツ購入毎の即時払い方式、課金情報を蓄積してコンテンツ購入前または購入後にまとめて決済を行う前払い方式または後払い方式がある。即時払い方式では、コンテンツサーバ１０２が、コンテンツ購入毎にユーザのモバイル端末１００から送信された電子バリューを検証して領収書（レシート）を発行する。後払い方式または前払い方式では、コンテンツの購入に関する累計課金情報に基づいて支払いを行う。
【０２６８】
以上のサービスにおいて、本システムの各機器間で行われる通信は、次に示す伝送路または通信回線を用いて行われる。
【０２６９】
まず、モバイル端末１００は、伝送路１０９、基地局１０７、通信回線１１２、通信ネットワーク１０８および通信回線１１６を介して、サービス提供サーバ１０４と通信を行ない、また、伝送路１０９、基地局１０７、通信回線１１２、通信ネットワーク１０８および通信回線１１４を介して、コンテンツサーバ１０２と通信を行ない、また、伝送路１１０を介してゲート端末１０１と赤外線通信を行ない、伝送路１１１を介して固定端末１０３と赤外線通信を行なう。
【０２７０】
ゲート端末１０１とサービス提供サーバ１０４とは、通信回線１１３、通信ネットワーク１０８および通信回線１１６を介して通信を行なう。また、コンテンツサーバ１０２とサービス提供サーバ１０４とは、通信回線１１４、通信ネットワーク１０８および通信回線１１６を介して通信を行なう。また、固定端末１０３とサービス提供サーバ１０４とは、通信回線１１５、通信ネットワーク１０８および通信回線１１６を介して通信を行ない、固定端末１０３とコンテンツサーバ１０２とは、通信回線１１５、通信ネットワーク１０８および通信回線１１４を介して通信を行なう。
【０２７１】
また、サービス提供サーバ１０４と決済処理システム１０５とは、通信回線１１７を介して通信を行ない、サービス提供サーバ１０４と電子バリュー発行システム１０６とは、通信回線１１８を介してサービス提供サーバ１０４と通信を行なう。
【０２７２】
また、モバイル端末１００とサービス提供サーバ１０４との通信、ゲート端末１０１とサービス提供サーバ１０４との通信、コンテンツサーバ１０１とサービス提供サーバ１０４との通信、サービス提供サーバ１０４と決済処理システム１０５との通信、およびサービス提供サーバ１０４と電子バリュー発行システム１０６との通信においては、情報データを全て暗号化してから通信する。暗号化には秘密鍵と公開鍵とを組み合わせた暗号処理方式を用いて、情報を電子封書化して通信する。
【０２７３】
次に、本実施形態の電子バリュー活用システムで用いられる電子バリューのデータ構造について説明する。
図３５は、電子バリューのデータ構造を示す説明図である。なお、同図において、二重線で囲まれた部分は電子署名が施されている部分を示す。図３５において、一電子バリュー１４００は、電子バリュープログラム１４０１、提示電子バリュー１４０２、電子バリュー証明書１４０３の３つの部分から構成される。まず、電子バリュープログラム１４０１は、電子バリュー１４００のステイタス管理および電子バリュー１４００固有の動作を規定する情報である。また、提示電子バリュー１４０２は、電子バリュー１４００を使用する際に、電子バリュー１４００の内容を示す情報としてゲート端末１０１またはコンテンツサーバ１０２に提示する情報である。また、電子バリュー証明書１４０３は、サービス提供者が発行する電子バリュー１４００の証明書であり、電子バリュー１４００が本物であることを示す情報である。
【０２７４】
電子バリュー１４００は、公開鍵暗号方式を用いた３種類の暗号方式がそれぞれ状況に応じて用いられ、４つの鍵を持つ。一つは、電子バリューの秘密鍵とそれに対応する公開鍵との組み合わせであり、電子バリュープログラム１４０１に格納されている電子バリュー署名秘密鍵１４０６と、電子バリュー証明書１４０３に格納されている電子バリュー署名公開鍵である。もう一つは、ゲート端末１０１またはコンテンツサーバ１０２との間での電子バリューの認証処理に用いるための、電子バリュープログラム１４０１に格納されている電子バリュー認証秘密鍵１４０７である。また、もう一つは、モバイル端末１００側でのゲート端末１０１またはコンテンツサーバ１０２の認証処理に用いるための、電子バリュープログラム１４０１に格納されているトランザクション端末認証公開鍵１４０８である。
【０２７５】
電子バリュー署名秘密鍵１４０６および電子バリュー署名公開鍵は、電子バリューごとに異なる鍵対であり、電子バリュー認証秘密鍵１４０７およびトランザクション端末認証公開鍵１４０８は、電子バリューの種類ごとに異なる鍵である。ゲート端末１０１には、電子バリュー認証秘密鍵１４０７およびトランザクション端末認証公開鍵１４０８にそれぞれ対応する電子バリュー認証公開鍵と、トランザクション端末認証秘密鍵とが設定されている。
【０２７６】
まず、電子バリュープログラム１４０１は、電子バリューステイタス１４０４、電子バリュープロパティ１４０５、電子バリュー署名秘密鍵１４０６、電子バリュー認証秘密鍵１４０７、トランザクション端末認証公開鍵１４０８および電子バリュープログラムデータ１４０９を有して構成されている。
【０２７７】
電子バリューステイタス１４０４は、電子バリューの状態（ステイタス）を示す情報であり、電子バリュー１４００の使用の可能否等を示す情報である。また、電子バリュープロパティ１４０５は、電子バリューの種類によって、オプションで設定される情報である。例えば、電子バリュー１４００が回数券の場合、電子バリュープロパティ１４０５には回数券の初期値および使用回数が設定される。使用回数は、使用される毎に１ずつインクリメントされる。また、電子バリュー１４００が電子プリペイドカードの場合、電子バリュープロパティ１４０５には電子プリペイドカードの金額の初期値および使用済額が設定される。使用済額は、使用されるたびに使用された値が加算される。
【０２７８】
また、電子バリュー署名秘密鍵１４０６は前述した電子バリューの電子署名用の秘密鍵であり、同様に、電子バリュー認証秘密鍵１４０７は電子バリューの認証処理に用いる秘密鍵であり、トランザクション端末認証公開鍵１４０８はゲート端末１０１またはコンテンツサーバ１０２の認証処理に用いるための公開鍵である。
【０２７９】
また、電子バリュープログラムデータ１４０９は、電子バリュー１４００固有の動作を規定するプログラムモジュールであり、電子バリュープログラムデータ１４０９と電子バリュープロパティ１４０５との組み合わせによって、様々な種類の電子バリューが規定でき、電子バリュー１４００の使用の処理における各種の動作を規定することができる。
【０２８０】
次に、提示電子バリュー１４０２は、電子バリューコード１４１０、電子バリューＩＤ１４１１、電子バリュー情報１４１２、電子バリュー発行者ＩＤ１４１３およびサービス提供者ＩＤ１４１４を有して構成される。電子バリューＩＤ１４１１、電子バリュー情報１４１２および電子バリュー発行者ＩＤ１４１３には電子バリュー発行者による電子署名が施され（１４１６）、提示電子バリュー１４０２にはサービス提供者による電子署名が施されている（１４１５）。
【０２８１】
電子バリューコード１４１０は、電子バリューの種類を示すコード情報である。また、電子バリューＩＤ１４１１は、電子バリューごとに異なる識別情報である。また、電子バリュー情報１４１２は、電子バリューの内容を示すＡＳＣＩＩコード化された情報であり、電子バリューのタイトルや日時、場所、席種、主催者、さらには電子バリュー１４００の譲渡の可否や、また回数券として動作する場合には回数券の枚数等の使用条件情報が、各情報の種類を示すタグ情報を付加した形式で記述されている。
【０２８２】
また、電子バリュー発行者ＩＤ１４１３は、電子バリュー１４００を発行した電子バリュー発行者を示すＩＤ情報である。また、サービス提供者ＩＤ１４１４はサービス提供者を示すＩＤ情報である。
【０２８３】
次に、電子バリュー証明書１４０３は、電子バリューＩＤ、電子バリュー署名公開鍵、電子バリュー証明書ＩＤ、サービス提供者ＩＤおよび電子バリュー証明書発行日時によって構成され、サービス提供者の電子署名が施されている（１４１５）。
【０２８４】
次に、本実施形態の電子バリュー活用システムで提供されるサービスについて説明する。
該サービスには、ユーザが電子バリュー発行者に電子バリューを注文して購入する電子バリューの購入と、ユーザが電子バリューを使用してゲート端末１０１またはコンテンツサーバ１０２からのサービス提供を受ける電子バリューの使用と、ゲート端末１０１またはコンテンツサーバ１０２とサービス提供サーバ１０４とが行う精算とがある。
【０２８５】
以下、本実施形態の電子バリュー活用システムを用いた電子バリューの購入について説明する。
図３６（ａ），（ｂ），（ｅ）は、電子バリュー購入時における固定端末１０３のモニタ２０２による表示例を示し、図３６（ｃ），（ｄ）は、電子バリュー購入時におけるモバイル端末のＬＣＤ（液晶ディスプレイ）の表示例を示す。まずユーザは、図３６（ａ）に示すように、リモコン２０４を操作して、モニタ２０２に表示されたオーダ画面で購入する電子バリューを選択し、注文ボタンを選択する。
【０２８６】
オファー情報１５０６に電子バリュー販売オファーが含まれている場合、図３６（ｂ）に示すように、モニタ２０２には電子バリュー販売オファーが表示され、電子バリュー販売オファーが含まれていない場合には、電子バリューが発行できない旨を示すメッセージが表示される。次に、図３６（ｃ）に示すように、ユーザに購入実行の確認を促す画面をモバイル端末１００のＬＣＤに表示する。
【０２８７】
モバイル端末１００は、電子バリューを受信したことを示すメッセージである確認通知をサービス提供サーバ１０４に送信し、図３６（ｄ）に示すように、電子バリューをモバイル端末１００のＬＣＤに表示する。購入完了の通知を受信した固定端末１０３は、図３６（ｅ）に示すように、受信した通知に基づいて、ユーザが要求したオーダが完了した旨をモニタ２０２に表示する。
【０２８８】
また、この電子バリューの購入には、大きく分けて、物品、電子チケット、情報サービス、有料放送サービスの４種類がある。まず、物品の場合、購入申込みをした物品は配送され、モニタ２０２には配送予定日等が表示される。また、電子チケットの場合、コンテンツサーバ１０２から依頼を受けたサービス提供サーバ１０４からモバイル端末１００に電子チケットが送信され、モニタ２０２やモバイル端末１００のＬＣＤには電子チケットを送信した処理結果等が表示される。また、情報サービスの場合、モニタ２０２に購入した情報サービスが表示される。
【０２８９】
また、有料放送サービスの場合、購入した有料放送と該有料放送を視聴するための鍵がコンテンツサーバ１０２から固定端末１０３に送信され、鍵を固定端末１０３が有するメモリに格納する。これにより、固定端末１０３は、有料放送視聴チケットを購入した番組を復号化することによってその番組が視聴可能な状態となり、モニタ２０２に番組を表示する。
【０２９０】
以上のように、物品と、電子チケットと、情報サービスと、有料放送サービスとが融合したオンライン売買が可能となる。例えば、教育関係では、テキスト（物品）と、対面レッスンのチケット（電子チケット）と、インターネットを使った添削サービス（情報サービス）と、講義（有料放送サービス）とを組み合わせたサービスの提供が可能となり、また音楽関係では、ＣＤ（物品）と、コンサートのチケット（電子チケット）と、インターネットライブ（情報サービス）を組み合わせたサービスの提供が可能となる。このように、今までは、別々に売買されていたものを、まとめてオンラインで提供できることにより消費者の利便性が向上し、また提供側にとっても商品の付加価値を高めることができるため販売促進につながる。
【０２９１】
以下、本実施形態の電子バリュー活用システムを用いた電子バリューの使用に関して、特に、電子プリペイドカードを用いた支払いについて説明する。
図３７（ａ）は、電子バリュー使用時における固定端末１０３のモニタ２０２による表示例を示し、図３７（ｂ），（ｃ）は、電子バリュー使用時におけるモバイル端末１００のＬＣＤの表示例を示す。まずユーザは、ホーム端末１０３から通信ネットワーク１０８を介してコンテンツサーバ１０２にアクセスし、提供を受けたいサービスをコンテンツサーバ１０２に要求する。このサービス要求を受け取ったコンテンツサーバ１０２は、モバイル端末１００に電子バリューの提示を要求するメッセージを固定端末１０３に送信する。このメッセージを受け取った固定端末１０３のモニタ２０２には、図３７（ａ）に示すように、ユーザに電子バリューの使用を促す旨を電話番号と要求番号と共に表示する。
【０２９２】
ユーザがモバイル端末１００を操作して使用する電子バリューを表示させると、モバイル端末１３のＬＣＤには電話番号および要求番号の入力を促す画面が示され、図３７（ｂ）に示すように、モニタ２０２に表示された電話番号および要求番号を入力して、実行スイッチを押す。コンテンツサーバ１０２には入力された情報が送信され、要求番号と電子バリューの種類を検証し、要求番号が一致し、電子バリューの種類も有効だった場合、精算処理が行われる。精算処理後、モバイル端末１００には処理結果としてのレシートが送信され、モバイル端末１００は、図３７（ｃ）に示すように、更新された電子バリューをＬＣＤに表示する。また、レシートを受信したモバイル端末１００は、アクノリッジをコンテンツサーバ１０２に送信し、該アクノーリッジが有効であった場合に、固定端末１０３にサービスを提供する。
【０２９３】
なお、モバイル端末１００および固定端末１０３が赤外線（IrDA）または近距離通信通信（例えば、Bluetooth）による通信機能を有し、モバイル端末１００とコンテンツサーバ１０２との間に固定端末１０３を介した形態とすることによって、モバイル端末１００は電話番号や要求番号を手動で入力が必要がなくなり、利便性が向上する。
【０２９４】
以上のように、本実施形態の電子バリュー活用システムによれば、電子バリューを用いた商品やサービスの決済や電子バリューの送受信を通信ネットワークを介して行なうことができるため、利便性の高い販売／決済システムを提供することができる。また、電子バリューを利用した清算処理やサービスの受け取りを通信ネットワークを介して行うことができるため、利便性の高い決済／サービス提供システムを提供することができる。
【０２９５】
図３８に、固定端末、モバイル端末またはサーバの所有者（管理者）と利用者との関係に係る様々な形態を示す。
【０２９６】
【発明の効果】
以上説明したように、本発明の電子バリュー活用システム、電子バリュー活用方法およびサーバ装置並びに記録媒体によれば、第１の固定端末（指示ステップ）において、通信ネットワークを介して第１のモバイル端末に所望の電子バリューを供給するようサーバに指示し、サーバ（供給ステップ）において、第１の固定端末からの指示に応じて所望された電子バリューを通信ネットワークを介して第１のモバイル端末に供給している。
【０２９７】
また、本発明によれば、第２のモバイル端末（指示ステップ）において、通信ネットワークを介して第１のモバイル端末に所望の電子バリューを供給するようサーバに指示し、サーバ（供給ステップ）において、第２のモバイル端末からの指示に応じて所望された電子バリューを通信ネットワークを介して第１のモバイル端末に供給している。
【０２９８】
また、本発明によれば、第１の固定端末（指示ステップ）において、通信ネットワークを介して第１のモバイル端末に所望の電子バリューを供給するようサーバに指示し、サーバ（供給ステップ）において、第１の固定端末からの指示に応じて所望された電子バリューを第１の固定端末に、または第１の固定端末を介して第１のモバイル端末に供給している。
【０２９９】
また、本発明によれば、第３のモバイル端末（指示ステップ）において、通信ネットワークを介して第３の固定端末に所望の電子バリューを供給するようサーバに指示し、サーバ（供給ステップ）において、第３のモバイル端末からの指示に応じて所望された電子バリューを通信ネットワークを介して第３の固定端末に供給している。
【０３００】
さらに、本発明によれば、第４の固定端末（指示ステップ）において、通信ネットワークを介して第３のモバイル端末に所望の電子バリューを供給するようサーバに指示し、サーバ（供給ステップ）において、第４の固定端末からの指示に応じて所望された電子バリューを通信ネットワークを介して第３の固定端末に供給している。
【０３０１】
したがって、ユーザが例えば電子プリペイドカードや電子チケット等の電子バリューの購入を要求する場合、ユーザが通信ネットワークを介してサーバに所望の電子バリューを注文すると、サーバは該注文に応じた処理を行って、再び通信ネットワークを介して所望された（電子プリペイドカードや電子チケットなどの）電子バリューを設定された端末に送信することができる。
【０３０２】
また、ユーザが電子マネーや電子チケット、有料放送視聴チケット等の電子バリューを使用して精算処理やサービスの提供などを要求する場合、ユーザが通信ネットワークを介してサーバに所望の要求を行うと、サーバは該要求に応じた処理を行って、通信ネットワークを介して（精算処理結果や所望のサービスなどの）電子バリューを端末に送信することができる。
【０３０３】
このように、ユーザは必要なときに必要な電子バリューを、通信ネットワークを介して得ることができるため、電子バリューの購入または使用のためにわざわざ外出する必要がないため、利便性を向上させることができる。
【０３０４】
また、本発明によれば、電子バリューを格納可能な端末は、該電子バリューが供給された端末に限定されることなく、転送手段を用いることによって他の端末にも格納しておくことができる。したがって、電子バリューが供給される端末のメモリを節約でき、該端末を紛失しても電子バリューもろとも紛失してしまう危険性を小さくすることができる。
【０３０５】
また、本発明によれば、電子バリューは、第１の固定端末または第２のモバイル端末の所有者または利用者と異なる者が所有または利用する第１のモバイル端末に供給され、また、第３のモバイル端末または第４の固定端末の所有者または利用者と異なる者が所有または利用する第３の固定端末に供給されている。
【０３０６】
したがって、電子バリューを注文したユーザまたはサービス提供を要求したユーザ以外の者に、ユーザが所望した電子バリューまたはサービスを提供することができるため、電子バリューまたはサービスを友人や恋人等のユーザ以外の者へのプレゼントなどに活用できる。また、通信ネットワークを介しているために、遠方の者にも電子バリューまたはサービスを提供することができる。
【図面の簡単な説明】
【図１】図１は、本発明に係る電子バリュー活用システムの第１の実施形態である電子バリュー購入システムを示すブロック構成図である。
【図２】本発明に係る電子バリュー活用システムの第１の実施形態である電子バリュー購入システムの一態様を示すブロック構成図である。
【図３】本発明に係る電子バリュー活用システムの第１の実施形態である電子バリュー購入システムの他の態様を示すブロック構成図である。
【図４】電子バリュー活用システムの第１の実施形態としての電子バリュー購入システムに関する第１実施例を示すブロック構成図である。
【図５】電子バリュー活用システムの第１の実施形態としての電子バリュー購入システムに関する第２実施例を示すブロック構成図である。
【図６】電子バリュー活用システムの第１の実施形態としての電子バリュー購入システムに関する第３実施例を示すブロック構成図である。
【図７】電子バリュー活用システムの第１の実施形態としての電子バリュー購入システムに関する第４実施例を示すブロック構成図である。
【図８】電子バリュー活用システムの第１の実施形態としての電子バリュー購入システムに関する第５実施例を示すブロック構成図である。
【図９】電子バリュー活用システムの第１の実施形態としての電子バリュー購入システムに関する第６実施例を示すブロック構成図である。
【図１０】電子バリュー活用システムの第１の実施形態としての電子バリュー購入システムに関する第７実施例を示すブロック構成図である。
【図１１】電子バリュー活用システムの第１の実施形態としての電子バリュー購入システムに関する第８実施例を示すブロック構成図である。
【図１２】電子バリュー活用システムの第１の実施形態としての電子バリュー購入システムに関する第９実施例を示すブロック構成図である。
【図１３】電子バリュー活用システムの第１の実施形態としての電子バリュー購入システムに関する第１０実施例を示すブロック構成図である。
【図１４】電子バリュー活用システムの第１の実施形態としての電子バリュー購入システムに関する第１１実施例を示すブロック構成図である。
【図１５】電子バリュー活用システムの第１の実施形態としての電子バリュー購入システムに関する第１２実施例を示すブロック構成図である。
【図１６】電子バリュー活用システムの第１の実施形態としての電子バリュー購入システムに関する第１３実施例を示すブロック構成図である。
【図１７】電子バリュー活用システムの第１の実施形態としての電子バリュー購入システムに関する第１４実施例を示すブロック構成図である。
【図１８】電子バリュー活用システムの第１の実施形態としての電子バリュー購入システムに関する第１５実施例を示すブロック構成図である。
【図１９】電子バリュー購入システムに関する第１５実施例に係る電子バリュー活用システムの一部を示すブロック構成図である。
【図２０】電子バリュー活用システムの第１の実施形態としての電子バリュー購入システムに関する第１６実施例を示すブロック構成図である。
【図２１】電子バリュー活用システムの第１の実施形態としての電子バリュー購入システムに関する第１７実施例を示すブロック構成図である。
【図２２】電子バリュー活用システムの第１の実施形態としての電子バリュー購入システムに関する第１８実施例を示すブロック構成図である。
【図２３】電子バリュー活用システムの第１の実施形態としての電子バリュー購入システムに関する第１９実施例を示すブロック構成図である。
【図２４】本発明に係る電子バリュー活用システムの第２の実施形態である電子バリュー使用システムを示すブロック構成図である。
【図２５】本発明に係る電子バリュー活用システムの第２の実施形態である電子バリュー使用システムの一態様を示すブロック構成図である。
【図２６】本発明に係る電子バリュー活用システムの第２の実施形態である電子バリュー使用システムの他の態様を示すブロック構成図である。
【図２７】電子バリュー活用システムの第２の実施形態としての電子バリュー使用システムに関する第１実施例を示すブロック構成図である。
【図２８】電子バリュー活用システムの第２の実施形態としての電子バリュー使用システムに関する第２実施例を示すブロック構成図である。
【図２９】電子バリュー活用システムの第２の実施形態としての電子バリュー使用システムに関する第３実施例を示すブロック構成図である。
【図３０】電子バリュー活用システムの第２の実施形態としての電子バリュー使用システムに関する第４実施例を示すブロック構成図である。
【図３１】電子バリュー活用システムの第２の実施形態としての電子バリュー使用システムに関する第５実施例を示すブロック構成図である。
【図３２】電子バリュー活用システムの第２の実施形態としての電子バリュー使用システムに関する第６実施例を示すブロック構成図である。
【図３３】電子バリュー活用システムの第２の実施形態としての電子バリュー使用システムに関する第７実施例を示すブロック構成図である。
【図３４】本発明に係る第３の実施形態の電子バリュー活用システムを示すブロック構成図である。
【図３５】電子バリューのデータ構造を示す説明図である。
【図３６】（ａ），（ｂ），（ｅ）は電子バリュー購入時における固定端末のモニタによる表示例を示す説明図であり、（ｃ），（ｄ）は電子バリュー購入時におけるモバイル端末のＬＣＤの表示例を示す説明図である。
【図３７】（ａ）は電子バリュー使用時における固定端末のモニタによる表示例を示す説明図であり、（ｂ），（ｃ）は電子バリュー使用時におけるモバイル端末のＬＣＤの表示例を示す説明図である。
【図３８】固定端末、モバイル端末またはサーバの所有者（管理者）と利用者との関係に係る様々な形態を示す説明図である。
【図３９】プリペイドカードを用いた前払い方式の従来の決済システムを示す説明図である。
【図４０】従来のチケット販売システムを示す説明図である。
【符号の説明】
１１，１０３  固定端末
１３，１００  モバイル端末
１５  サーバ
１５ａ  発行サーバ
１５ｂ  格納サーバ
１５ｃ  放送サーバ
１０１  ゲート端末
１０２  コンテンツサーバ
１０４  サービス提供サーバ
１０５  決済処理サーバ
１０６  電子バリュー発行システム
１０７  基地局
１０８  通信ネットワーク
【図１】
0003594180.tif 000002
【図２】
0003594180.tif 000003
【図３】
0003594180.tif 000004
【図４】
0003594180.tif 000005
【図５】
0003594180.tif 000006
【図６】
0003594180.tif 000007
【図７】
0003594180.tif 000008
【図８】
0003594180.tif 000009
【図９】
0003594180.tif 000010
【図１０】
0003594180.tif 000011
【図１１】
0003594180.tif 000012
【図１２】
0003594180.tif 000013
【図１３】
0003594180.tif 000014
【図１４】
0003594180.tif 000015
【図１５】
0003594180.tif 000016
【図１６】
0003594180.tif 000017
【図１７】
0003594180.tif 000018
【図１８】
0003594180.tif 000019
【図１９】
0003594180.tif 000020
【図２０】
0003594180.tif 000021
【図２１】
0003594180.tif 000022
【図２２】
0003594180.tif 000023
【図２３】
0003594180.tif 000024
【図２４】
0003594180.tif 000025
【図２５】
0003594180.tif 000026
【図２６】
0003594180.tif 000027
【図２７】
0003594180.tif 000028
【図２８】
0003594180.tif 000029
【図２９】
0003594180.tif 000030
【図３０】
0003594180.tif 000031
【図３１】
0003594180.tif 000032
【図３２】
0003594180.tif 000033
【図３３】
0003594180.tif 000034
【図３４】
0003594180.tif 000035
【図３５】
0003594180.tif 000036
【図３６】
0003594180.tif 000037
【図３７】
0003594180.tif 000038
【図３８】
0003594180.tif 000039
【図３９】
0003594180.tif 000040
【図４０】
0003594180.tif 000041